(57)【要約】【課題】排水弁の開弁操作の操作性を向上させることができ、複数の洗浄モードに応じた便器洗浄を正確に実行することができる排水弁操作装置を提供する。【解決手段】本発明の排水弁操作装置１は、回転軸４０ａ，４２を備えた電動操作ユニット１０と、排水弁１８にそれぞれの一端が連結された第１連結部材５４及び第２連結部材５６と、第１回転巻取部材４８と、第２回転巻取部材５０と、を有し、第１回転巻取部材及び第２回転巻取部材は、それぞれの回転の中心部近傍に設けられた第１切欠き部６２及び第２切欠き部６４をそれぞれ備え、各切欠き部は、各操作モードの回転軸の回転方向Ｒ１，Ｒ２に応じて回転軸に対して回転方向に係合／係合解除可能である。【選択図】図５
2019138115.tif 000002
【特許請求の範囲】
【請求項１】
便器に洗浄水を供給する洗浄水タンク装置の排水弁を開弁操作する排水弁操作装置であって、
回転軸を備え、この回転軸を第１回転方向に回転操作する第１操作モードの電動又は手動の操作が可能であると共に、上記回転軸を上記第１回転方向とは反対の第２回転方向に回転操作する第２操作モードによる電動又は手動の操作が可能である操作部と、
上記排水弁にそれぞれの一端が連結された第１連結部材及び第２連結部材と、
上記回転軸に対して回転方向に係合／係合解除可能に取り付けられた第１回転巻取部材であって、上記第１連結部材の他端が連結され、上記回転軸と共に上記第１回転方向に回転することにより上記第１連結部材を巻取可能とする上記第１回転巻取部材と、
上記回転軸に対して回転方向に係合／係合解除可能に取り付けられた第２回転巻取部材であって、上記第２連結部材の他端が連結され、上記回転軸と共に上記第２回転方向に上記第１回転巻取部材とは独立に回転することにより上記第２連結部材を巻取可能とする上記第２回転巻取部材と、を有し、
上記第１回転巻取部材及び上記第２回転巻取部材は、それぞれの回転の中心部近傍に設けられた第１切欠き部及び第２切欠き部をそれぞれ備え、各切欠き部は、各操作モードの上記回転軸の回転方向に応じて上記回転軸に対して回転方向に係合／係合解除可能であり、
上記操作部の第１操作モードにより上記回転軸が上記第１回転方向に回転操作された場合において、
上記第１回転巻取部材の第１切欠き部は、上記回転軸により回転方向に係合された状態で上記第１回転方向に回転するように構成される一方、上記第２回転巻取部材の第２切欠き部は、上記回転軸との回転方向の係合が解除されて静止状態となるように構成され、
上記排水弁は、上記第１連結部材のみが上記第１回転巻取部材により第１量だけ巻き取られることにより上記第１量だけ引き上げられるように構成され、上記洗浄水タンク装置から上記便器に第１洗浄水量の洗浄水が供給されて第１洗浄モードの便器洗浄が実行可能であり、
上記操作部の第２操作モードにより上記回転軸が上記第２回転方向に回転操作された場合において、
上記第１回転巻取部材の第１切欠き部は、上記回転軸との回転方向の係合が解除されて静止状態となるように構成される一方、上記第２回転巻取部材の第２切欠き部は、上記回転軸により回転方向に係合された状態で上記第２回転方向に回転するように構成され、
上記排水弁は、上記第２連結部材のみが上記第２回転巻取部材により上記第１量と異なる第２量だけ巻き取られることにより上記第２量だけ引き上げられるように構成され、上記洗浄水タンク装置から上記便器に上記第１洗浄水量と異なる第２洗浄水量の洗浄水が供給されて第２洗浄モードの便器洗浄が実行可能であることを特徴とする排水弁操作装置。
【請求項２】
上記操作部は、上記回転軸に連結されて外部からの電力により上記回転軸を電気的に回転駆動可能な電動回転軸を備えた電動操作部であり、
上記第１回転巻取部材及び上記第２回転巻取部材は、上記電動回転軸の回転駆動により上記電動回転軸及び上記回転軸のそれぞれの回転半径よりも大きい回転半径で回転可能である請求項１記載の排水弁操作装置。
【請求項３】
上記操作部は、上記回転軸に連結されて手動により上記回転軸を回転駆動可能な操作部材を備えた手動操作部である請求項１記載の排水弁操作装置。
【請求項４】
上記第１回転巻取部材は、上記操作部の第１操作モードにおいて、上記排水弁が閉弁して最低位置となる初期位置と、上記排水弁が開弁して第１最高位置となる第１最大回転位置との間で上記第２回転巻取部材とは互いにほぼ同一の回転半径で独立に回転可能であり、
上記第２回転巻取部材は、上記操作部の第２操作モードにおいて、上記初期位置と、上記排水弁が開弁して上記第１最高位置とは異なる第２最高位置となる第２最大回転位置との間で上記第１回転巻取部材とは互いにほぼ同一の回転半径で独立に回転可能であり、
上記第１回転巻取部材が上記初期位置から上記第１回転方向に上記第１最大回転位置まで回転したときの第１最大回転角度は、上記第２回転巻取部材が上記初期位置から上記第２回転方向に上記第２最大回転位置まで回転したときの第２最大回転角度よりも大きく設定され、
上記第１連結部材のみが上記第１回転巻取部材により巻き取られる上記第１量は、上記第２連結部材のみが上記第２回転巻取部材により巻き取られる上記第２量よりも大きく設定され、上記第１洗浄モードにより上記洗浄水タンク装置から上記便器に供給される上記第１洗浄水量は、上記第２洗浄モードにより上記洗浄水タンク装置から上記便器に供給される上記第２洗浄水量よりも大きく設定されている請求項２又は３に記載の排水弁操作装置。
【請求項５】
さらに、上記第１回転巻取部材及び上記第２回転巻取部材に設けられた付勢部材を有し、この付勢部材は、上記第１最大回転位置の上記第１回転巻取部材及び上記第２最大回転位置の上記第２回転巻取部材のそれぞれについて上記初期位置に復帰させるように付勢可能に構成されている請求項４記載の排水弁操作装置。
【請求項６】
上記付勢部材は、上記第１回転巻取部材及び上記第２回転巻取部材に対してほぼ同一中心軸線上に設けられたねじりコイルばねであり、このねじりコイルばねは、その一端及び他端のそれぞれから外側に延びる第１アーム部及び第２アーム部を備え、
上記第１回転巻取部材は、上記第１アーム部又は上記第２アーム部の一方が取り付けられる第１アーム取付部を備え、
上記第２回転巻取部材は、上記第１アーム部又は上記第２アーム部の他方が取り付けられる第２アーム取付部を備え、
上記ねじりコイルばねの第１アーム部は、上記第１最大回転位置の上記第１回転巻取部材の上記第１アーム取付部を上記第２回転方向に付勢し、上記第１回転巻取部材を上記初期位置に復帰させるように構成され、
上記ねじりコイルばねの第２アーム部は、上記第２最大回転位置の上記第２回転巻取部材の上記第２アーム取付部を上記第１回転方向に付勢し、上記第２回転巻取部材を上記初期位置に復帰させるように構成されている請求項５記載の排水弁操作装置。
【請求項７】
上記回転軸は、その軸方向に延びる回転軸本体部と、この回転軸本体部の外周面の一部から外側に突出する突起部と、を備え、この突起部は、上記第１回転方向側に形成される第１突起側面と、この第１突起側面よりも上記第２回転方向側に形成される第２突起側面と、を備え、
上記第１回転巻取部材の第１切欠き部及び上記第２回転巻取部材の第２切欠き部は、それぞれの回転の中心部付近に上記回転軸が軸方向に挿入可能に形成されると共に、上記回転軸の回転方向に応じて上記回転軸の突起部との係合を回避可能にする第１係合回避領域及び第２係合回避領域をそれぞれ備えている請求項４乃至６の何れか１項に記載の排水弁操作装置。
【請求項８】
上記第１回転巻取部材の第１切欠き部は、上記初期位置において、上記回転軸の第１突起側面と係合する第１切欠き側面と、この第１切欠き側面に対して上記第２回転方向側に離間する第２切欠き側面と、を備え、
上記第２回転巻取部材の第２切欠き部は、上記初期位置において、上記回転軸の第２突起側面と係合する第３切欠き側面と、この第３切欠き側面に対して上記第１回転方向側に離間する第４切欠き側面と、を備え、
上記第１係合回避領域においては、上記回転軸が上記初期位置と上記第２最大回転位置との間に位置しているときに、上記回転軸の突起部の第２突起側面と上記第１回転巻取部材の第１切欠き部の第２切欠き側面との係合が回避可能であり、
上記第２係合回避領域においては、上記回転軸が上記初期位置と上記第１最大回転位置との間に位置しているときに、上記回転軸の突起部の第１突起側面と上記第２回転巻取部材の第２切欠き部の第４切欠き側面との係合が回避可能である請求項７記載の排水弁操作装置。
【請求項９】
上記操作部の第１操作モードにより上記回転軸が上記初期位置から上記第１回転方向に回転操作された場合には、上記第１係合回避領域において、上記第１回転巻取部材の第１切欠き部の第１切欠き側面と上記回転軸の第１突起側面とが互いに係合した状態が維持される一方、上記第２係合回避領域において、上記第２回転巻取部材の第２切欠き部の第３切欠き側面と上記回転軸の第２突起側面との互いの係合が解除された状態となり、
上記操作部の第２操作モードにより上記回転軸が上記初期位置から上記第２回転方向に回転操作された場合には、上記第２係合回避領域において、上記第２回転巻取部材の第２切欠き部の第３切欠き側面と上記回転軸の第２突起側面とが互いに係合した状態が維持される一方、上記第１係合回避領域において、上記第１回転巻取部材の第１切欠き部の第１切欠き側面と上記回転軸の第１突起側面との互いの係合が解除された状態となる請求項８記載の排水弁操作装置。
【請求項１０】
上記第１回転巻取部材及び上記第２回転巻取部材は、それぞれの外周において上記第１連結部材及び上記第２連結部材のそれぞれの他端が取り付け可能な第１取付部及び第２取付部をそれぞれ備え、これらの取付部は、上記初期位置において、上記第１回転巻取部材及び上記第２回転巻取部材のそれぞれの回転中心軸線方向に互いにほぼ並列して配置され、
上記第１連結部材及び上記第２連結部材は、立面視において上記第１回転巻取部材及び上記第２回転巻取部材の回転中心に対して一方側と他方側とに互いに対称に配置され、
上記初期位置において、上記第１回転巻取部材の上記第１取付部及び上記第１連結部材の他端は、上記第１連結部材が上記第１回転方向に上記第１回転巻取部材の外周に沿って所定長さだけ予め巻き取られた位置に設定されており、且つ、上記第２回転巻取部材の上記第２取付部及び上記第２連結部材の他端は、上記第２連結部材が上記第２回転方向に上記第２回転巻取部材の外周に沿って上記所定長さだけ予め巻き取られた位置に設定されている請求項４乃至９の何れか１項に記載の排水弁操作装置。
【請求項１１】
さらに、上記第１回転巻取部材及び上記第２回転巻取部材を回転可能に保持する保持部を有し、
上記保持部は、上記第１回転巻取部材の初期位置と第１最大回転位置との間の回転角度の範囲を制限可能にすると共に、上記第２回転巻取部材の初期位置と第２最大回転位置との間の回転角度の範囲を制限可能にする回転角度制限部を備えている請求項１乃至１０の何れか１項に記載の排水弁操作装置。
【請求項１２】
上記第１回転巻取部材は、その初期位置で上記保持部の回転角度制限部と係合可能な第１係合部と、上記第１最大回転位置で上記回転角度制限部と係合可能な第２係合部と、を備え、
上記第２回転巻取部材は、その初期位置で上記保持部の回転角度制限部と係合可能な第３係合部と、上記第２最大回転位置で上記回転角度制限部と係合可能な第４係合部と、を備えている請求項１１記載の排水弁操作装置。
【請求項１３】
上記第１連結部材は、その一端が上記排水弁の第１連結部に係合／係合解除可能に連結され、上記第２連結部材は、その一端が上記排水弁の第１連結部に隣接する第２連結部に係合／係合解除可能に連結されている請求項１２記載の洗浄水タンク装置。
【請求項１４】
さらに、上記排水弁の開弁操作を手動の押圧操作で可能にする手動操作部を有する請求項２記載の排水弁操作装置。
【請求項１５】
請求項１乃至１４の何れか１項に記載の排水弁操作装置を有することを特徴とする洗浄水タンク装置。
【請求項１６】
上記請求項１５記載の洗浄水タンク装置を有することを特徴とする水洗大便器。
【発明の詳細な説明】
【技術分野】
【０００１】
本発明は、排水弁操作装置、洗浄水タンク装置、及び、水洗大便器に係り、特に、便器に洗浄水を供給する洗浄水タンク装置の排水弁を開弁操作する排水弁操作装置、洗浄水タンク装置、及び、水洗大便器に関する。
【背景技術】
【０００２】
従来から、便器に洗浄水を供給する洗浄水タンク装置の排水弁を開弁操作する排水弁操作装置として、例えば、特許文献１〜４に記載されているようなものが知られている。
まず、特許文献１に記載されている従来の排水弁操作装置においては、操作ハンドルを手動で所定方向に回転操作することにより、共通の回転巻取部材を所定方向に回転操作し、この回転巻取部材が、排水弁に連結された単一の操作ワイヤを巻き上げて、開弁操作するも。
つぎに、特許文献２に記載されている従来の排水弁操作装置においては、排水弁に連結された単一の共通の操作ワイヤを手動操作ユニットによって手動で引き上げることにより開弁操作が可能であると共に、単一の共通の操作ワイヤを電動駆動ユニットによって自動で引き上げることにより開弁操作が可能なものも知られている。
また、特許文献２に記載されている従来の排水弁操作装置においては、洗浄水量が大きい大洗浄モードを実行する際には、操作ワイヤの引き上げ量を大きく設定し、洗浄水量が小さい小洗浄モードを実行する際には、操作ワイヤの引き上げ量を大洗浄モードよりも小さく設定するようになっている。
さらに、特許文献３に記載されている従来の排水弁操作装置においては、電動で回転する円板状の回転部材と、この回転部材に一端が接続されていると共に、他端が排水弁に接続されている単一のチェーンと、を備えている。そして、回転部材を電動で回転操作して単一のチェーンを引き上げることにより、排水弁の開弁操作を行うことができるようになっている。
また、特許文献４に記載されている従来の排水弁操作装置においては、電動で回転する円板状の回転部材と、排水弁に一端が接続されている単一のワイヤ等の接続部材とを備えている。そして、この回転部材には、その直径方向に横長のスリットが形成され、このスリットには、接続部材の他端の接続部が摺動可能に接続されている。これにより、回転部材が電動で正転又は反転したときの回転量に応じて、接続部材の接続部がスリットに沿ってスリット端部まで移動し、排水弁の引き上げ量が調整されるようになっている。
【先行技術文献】
【特許文献】
【０００３】
【特許文献１】特開２０１４−１９０１３１号公報
【特許文献２】特開２０１５−１９６９４９号公報
【特許文献３】米国特許出願公開第２０１４／２３３７８号明細書
【特許文献４】中国特許出願公開第１０５０８９１２５号明細書
【発明の概要】
【発明が解決しようとする課題】
【０００４】
また、近年では、排水弁操作装置の使い勝手の良さを追求するために、使用者が直接的に手動で操作することだけにこだわらず、排水弁の開弁操作について電動等による自動化を実現している。
一方、このような自動化をたとえ実現することができたとしても、排水弁側のレイアウトや設計事情によっては、排水弁操作装置の設置スペースが限られたり、操作装置の作動中に排水弁の引き上げるワイヤ等の関連部品が周辺部品と干渉したりすること等が要因となり、操作装置の操作性の低下を招くという問題もある。
したがって、排水弁側のレイアウトや設計事情に応じて、排水弁操作装置の操作性をいかに向上させるかが、近年要請された課題となっている。
【０００５】
そこで、本発明は、上述した従来技術の問題や近年要請されている課題を解決するためになされたものであり、排水弁の開弁操作の操作性を向上させることができ、複数の洗浄モードに応じた便器洗浄を正確に実行することができる排水弁操作装置、洗浄水タンク装置、及び、水洗大便器を提供することを目的としている。
【課題を解決するための手段】
【０００６】
上述した課題を解決するために、本発明は、便器に洗浄水を供給する洗浄水タンク装置の排水弁を開弁操作する排水弁操作装置であって、回転軸を備え、この回転軸を第１回転方向に回転操作する第１操作モードの電動又は手動の操作が可能であると共に、上記回転軸を上記第１回転方向とは反対の第２回転方向に回転操作する第２操作モードによる電動又は手動の操作が可能である操作部と、上記排水弁にそれぞれの一端が連結された第１連結部材及び第２連結部材と、上記回転軸に対して回転方向に係合／係合解除可能に取り付けられた第１回転巻取部材であって、上記第１連結部材の他端が連結され、上記回転軸と共に上記第１回転方向に回転することにより上記第１連結部材を巻取可能とする上記第１回転巻取部材と、上記回転軸に対して回転方向に係合／係合解除可能に取り付けられた第２回転巻取部材であって、上記第２連結部材の他端が連結され、上記回転軸と共に上記第２回転方向に上記第１回転巻取部材とは独立に回転することにより上記第２連結部材を巻取可能とする上記第２回転巻取部材と、を有し、上記第１回転巻取部材及び上記第２回転巻取部材は、それぞれの回転の中心部近傍に設けられた第１切欠き部及び第２切欠き部をそれぞれ備え、各切欠き部は、各操作モードの上記回転軸の回転方向に応じて上記回転軸に対して回転方向に係合／係合解除可能であり、上記操作部の第１操作モードにより上記回転軸が上記第１回転方向に回転操作された場合において、上記第１回転巻取部材の第１切欠き部は、上記回転軸により回転方向に係合された状態で上記第１回転方向に回転するように構成される一方、上記第２回転巻取部材の第２切欠き部は、上記回転軸との回転方向の係合が解除されて静止状態となるように構成され、
上記排水弁は、上記第１連結部材のみが上記第１回転巻取部材により第１量だけ巻き取られることにより上記第１量だけ引き上げられるように構成され、上記洗浄水タンク装置から上記便器に第１洗浄水量の洗浄水が供給されて第１洗浄モードの便器洗浄が実行可能であり、上記操作部の第２操作モードにより上記回転軸が上記第２回転方向に回転操作された場合において、上記第１回転巻取部材の第１切欠き部は、上記回転軸との回転方向の係合が解除されて静止状態となるように構成される一方、上記第２回転巻取部材の第２切欠き部は、上記回転軸により回転方向に係合された状態で上記第２回転方向に回転するように構成され、上記排水弁は、上記第２連結部材のみが上記第２回転巻取部材により上記第１量と異なる第２量だけ巻き取られることにより上記第２量だけ引き上げられるように構成され、上記洗浄水タンク装置から上記便器に上記第１洗浄水量と異なる第２洗浄水量の洗浄水が供給されて第２洗浄モードの便器洗浄が実行可能であることを特徴としている。
このように構成された本発明においては、洗浄水量がそれぞれ異なる第１洗浄モード及び第２洗浄モードのそれぞれを実行する際に、まず、操作部の第１操作モードにより回転軸が第１回転方向に回転操作された場合には、第１回転巻取部材の第１切欠き部が、回転軸により回転方向に係合された状態で第１回転方向に回転する。これにより、第１回転巻取部材が第２回転巻取部材とは独立に回転軸と共に第１回転方向に回転する。このとき、第２回転巻取部材の第２切欠き部は回転軸との回転方向の係合が解除されているため、第２回転巻取部材は静止状態となる。
そして、第１連結部材のみが第１回転巻取部材により第１量だけ巻き取られ、排水弁が第１量だけ引き上げられる。これにより、洗浄水タンク装置から便器に第１洗浄水量の洗浄水が供給されて第１洗浄モードの便器洗浄が実行される。
つぎに、操作部の第２操作モードにより回転軸が第２回転方向に回転操作された場合には、第１回転巻取部材の第１切欠き部が、回転軸との回転方向の係合が解除されて静止状態となる。
一方、第２回転巻取部材の第２切欠き部が回転軸により回転方向に係合された状態で第２回転方向に回転する。これにより、第２回転巻取部材が第１回転巻取部材とは独立に回転軸と共に第２回転方向に回転する。
そして、第２連結部材のみが第２回転巻取部材により第１量と異なる第２量だけ巻き取られ、排水弁が第２量だけ引き上げられる。これにより、洗浄水タンク装置から便器に第１洗浄水量と異なる第２洗浄水量の洗浄水が供給されて第２洗浄モードの便器洗浄が実行される。
したがって、操作部の各操作モードに応じて、第１回転巻取部材又は第２回転巻取部材のいずれか一方を独立に回転操作することができるため、第１回転巻取部材及び第２回転巻取部材のそれぞれが互いの干渉を抑制しながら、スムーズに作動することができる。
また、第１回転巻取部材及び第２回転巻取部材のそれぞれに連結されている第１連結部材及び第２連結部材のそれぞれについても、互いの干渉を抑制しながら、スムーズに作動することができる。
よって、操作部による第１操作モード及び第２操作モードの異なる操作モードのそれぞれの切り替え操作について正確に且つスムーズに行うことができるため、各洗浄モードに応じた排水弁の開弁操作を正確に行うこともできる。
これらの結果、排水弁の開弁操作する排水弁操作装置の操作性を向上させることができ、複数の洗浄モードに応じた便器洗浄を正確に実行することができる。
【０００７】
本発明において、好ましくは、上記操作部は、上記回転軸に連結されて外部からの電力により上記回転軸を電気的に回転駆動可能な電動回転軸を備えた電動操作部であり、上記第１回転巻取部材及び上記第２回転巻取部材は、上記電動回転軸の回転駆動により上記電動回転軸及び上記回転軸のそれぞれの回転半径よりも大きい回転半径で回転可能である。
このように構成された本発明においては、洗浄水量がそれぞれ異なる第１洗浄モード及び第２洗浄モードのそれぞれを実行する際に、電動操作部が各操作モードに応じて電動回転軸を電気的に回転操作する。
このとき、第１回転巻取部材又は第２回転巻取部材のいずれか一方が、回転軸及び電動回転軸と共にこれらの回転半径よりも大きい回転半径で各洗浄モードに応じて異なる方向に独立に自動で回転することができる。
そして、電動操作部が第１操作モードにより電動回転軸を回転操作し、第１回転巻取部材が回転軸と共に第１回転方向に自動で回転した場合には、第１連結部材のみについて、第１回転巻取部材により第１量だけ自動で巻き取り、排水弁を第１連結部材と共に比較的大きな引き上げ量で引き上げることができる。
同様に、電動操作部が第２操作モードにより電動回転軸を回転操作し、第２回転巻取部材が回転軸と共に第２回転方向に自動で回転した場合には、第２連結部材のみについて、第２回転巻取部材により第２量だけ自動で巻き取り、排水弁を第２連結部材と共に比較的大きな引き上げ量で引き上げることができる。
【０００８】
本発明において、好ましくは、上記操作部は、上記回転軸に連結されて手動により上記回転軸を回転駆動可能な操作部材を備えた手動操作部である。
このように構成された本発明においては、洗浄水量がそれぞれ異なる第１洗浄モード及び第２洗浄モードのそれぞれを実行する際に、手動操作部の操作部材を手動で回転操作することにより各操作モードに応じて回転軸を手動で回転操作する。
このとき、第１回転巻取部材又は第２回転巻取部材のいずれか一方が、回転軸と共に各洗浄モードに応じて異なる方向に独立に回転することができる。
そして、手動操作部の操作部材の第１操作モードによる手動操作により回転軸が回転操作され、第１回転巻取部材が回転軸と共に第１回転方向に回転した場合には、第１連結部材のみについて、第１回転巻取部材により第１量だけ巻き取られ、排水弁を第１連結部材と共に比較的大きな引き上げ量で引き上げることができる。
同様に、手動操作部の操作部材の第２操作モードによる手動操作により回転軸が回転操作され、第２回転巻取部材が回転軸と共に第２回転方向に回転した場合には、第２連結部材のみについて、第２回転巻取部材により第２量だけ巻き取られ、排水弁を第２連結部材と共に比較的大きな引き上げ量で引き上げることができる。
【０００９】
本発明において、好ましくは、上記第１回転巻取部材は、上記操作部の第１操作モードにおいて、上記排水弁が閉弁して最低位置となる初期位置と、上記排水弁が開弁して第１最高位置となる第１最大回転位置との間で上記第２回転巻取部材とは互いにほぼ同一の回転半径で独立に回転可能であり、上記第２回転巻取部材は、上記操作部の第２操作モードにおいて、上記初期位置と、上記排水弁が開弁して上記第１最高位置とは異なる第２最高位置となる第２最大回転位置との間で上記第１回転巻取部材とは互いにほぼ同一の回転半径で独立に回転可能であり、上記第１回転巻取部材が上記初期位置から上記第１回転方向に上記第１最大回転位置まで回転したときの第１最大回転角度は、上記第２回転巻取部材が上記初期位置から上記第２回転方向に上記第２最大回転位置まで回転したときの第２最大回転角度よりも大きく設定され、上記第１連結部材のみが上記第１回転巻取部材により巻き取られる上記第１量は、上記第２連結部材のみが上記第２回転巻取部材により巻き取られる上記第２量よりも大きく設定され、上記第１洗浄モードにより上記洗浄水タンク装置から上記便器に供給される上記第１洗浄水量は、上記第２洗浄モードにより上記洗浄水タンク装置から上記便器に供給される上記第２洗浄水量よりも大きく設定されている。
このように構成された本発明においては、まず、操作部の第１操作モードにより回転軸が第１回転方向に回転操作された場合には、第１回転巻取部材の第１切欠き部が、回転軸により回転方向に係合された状態で第１回転方向に回転する。
これにより、第１回転巻取部材は、排水弁が閉弁して最低位置となる初期位置から第１最大回転位置まで第１回転方向に第１最大回転角度の範囲内で回転可能となり、第２回転巻取部材とは独立に互いにほぼ同一の回転半径で回転する。このとき、第２回転巻取部材の第２切欠き部は回転軸との回転方向の係合が解除されているため、第２回転巻取部材は静止状態となる。
そして、第１連結部材のみが第１回転巻取部材により第１量（第２量よりも大きい量）だけ巻き取られ、排水弁が第１量だけ引き上げられる。これにより、洗浄水タンク装置から便器に第１洗浄水量（第２洗浄水量よりも大きい洗浄水量）の洗浄水が供給されて第１洗浄モードの便器洗浄が実行される。
つぎに、操作部の第２操作モードにより回転軸が第２回転方向に回転操作された場合には、第１回転巻取部材の第１切欠き部が、回転軸との回転方向の係合が解除されて静止状態となる。
一方、第２回転巻取部材の第２切欠き部が回転軸により回転方向に係合された状態で第２回転方向に回転する。これにより、第２回転巻取部材は、排水弁が閉弁して最低位置となる初期位置から第２最大回転位置まで第２回転方向に第２最大回転角度の範囲内で回転可能となり、第１回転巻取部材とは独立に互いにほぼ同一の回転半径で回転する。
そして、第２連結部材のみが第２回転巻取部材により第２量（第１量よりも小さい量）だけ巻き取られ、排水弁が第２量だけ引き上げられる。これにより、洗浄水タンク装置から便器に第２洗浄水量（第１洗浄水量よりも小さい洗浄水量）の洗浄水が供給されて第２洗浄モードの便器洗浄が実行される。
したがって、操作部の各操作モードに応じて、第１回転巻取部材又は第２回転巻取部材のいずれか一方を互いにほぼ同一の回転半径で独立に回転操作することができると共に、第１回転巻取部材の第１最大回転角度を第２回転巻取部材の第２最大回転角度よりも大きく設定することにより、第１回転巻取部材及び第２回転巻取部材のそれぞれを簡易な構造にすることができる。
よって、第１回転巻取部材及び第２回転巻取部材のそれぞれが互いの干渉を抑制しながら、スムーズに作動することができる。
また、第１回転巻取部材及び第２回転巻取部材のそれぞれに連結されている第１連結部材及び第２連結部材のそれぞれについても、互いの干渉を抑制しながら、スムーズに作動することができる。
よって、操作部による第１操作モード及び第２操作モードの異なる操作モードのそれぞれの切り替え操作について正確に且つスムーズに行うことができるため、各洗浄モードに応じた排水弁の開弁操作を正確に行うこともできる。
【００１０】
本発明において、好ましくは、さらに、上記第１回転巻取部材及び上記第２回転巻取部材に設けられた付勢部材を有し、この付勢部材は、上記第１最大回転位置の上記第１回転巻取部材及び上記第２最大回転位置の上記第２回転巻取部材のそれぞれについて上記初期位置に復帰させるように付勢可能に構成されている。
このように構成された本発明においては、第１回転巻取部材及び第２回転巻取部材に設けられた付勢部材の付勢力により、第１最大回転位置の第１回転巻取部材及び第２最大回転位置の第２回転巻取部材のそれぞれについて初期位置に復帰させることができる。
したがって、第１操作モード終了後の第１回転巻取部材や第２操作モード終了後の第２回転巻取部材について、次回の便器洗浄操作（排水弁の開弁操作）に備えて、初期位置まで確実に且つ速やかに復帰させることができるため、次回の各洗浄モードに応じた第１回転巻取部材や第２回転巻取部材の回転操作についても正確に行うことができる。
【００１１】
本発明において、好ましくは、上記付勢部材は、上記第１回転巻取部材及び上記第２回転巻取部材に対してほぼ同一中心軸線上に設けられたねじりコイルばねであり、このねじりコイルばねは、その一端及び他端のそれぞれから外側に延びる第１アーム部及び第２アーム部を備え、上記第１回転巻取部材は、上記第１アーム部又は上記第２アーム部の一方が取り付けられる第１アーム取付部を備え、上記第２回転巻取部材は、上記第１アーム部又は上記第２アーム部の他方が取り付けられる第２アーム取付部を備え、上記ねじりコイルばねの第１アーム部は、上記第１最大回転位置の上記第１回転巻取部材の上記第１アーム取付部を上記第２回転方向に付勢し、上記第１回転巻取部材を上記初期位置に復帰させるように構成され、上記ねじりコイルばねの第２アーム部は、上記第２最大回転位置の上記第２回転巻取部材の上記第２アーム取付部を上記第１回転方向に付勢し、上記第２回転巻取部材を上記初期位置に復帰させるように構成されている。
このように構成された本発明においては、第１操作モードにおいて、ねじりコイルばねの第１アーム部が、第１最大回転位置の第１回転巻取部材の第１アーム取付部を第２回転方向に付勢することにより、第１回転巻取部材を初期位置により確実に且つ速やかに復帰させることができる。
同様に、第２操作モードにおいて、ねじりコイルばねの第２アーム部が、第２最大回転位置の第２回転巻取部材の第２アーム取付部を第１回転方向に付勢することにより、第２回転巻取部材を初期位置により確実に且つ速やかに復帰させることができる。
したがって、第１操作モード終了後の第１回転巻取部材や第２操作モード終了後の第２回転巻取部材について、次回の便器洗浄操作（排水弁の開弁操作）に備えて、初期位置までより確実に且つ速やかに復帰させることができるため、次回の各洗浄モードに応じた第１回転巻取部材や第２回転巻取部材に関する回転操作についてもより正確に行うことができる。
【００１２】
本発明において、好ましくは、上記回転軸は、その軸方向に延びる回転軸本体部と、この回転軸本体部の外周面の一部から外側に突出する突起部と、を備え、この突起部は、上記第１回転方向側に形成される第１突起側面と、この第１突起側面よりも上記第２回転方向側に形成される第２突起側面と、を備え、
上記第１回転巻取部材の第１切欠き部及び上記第２回転巻取部材の第２切欠き部は、それぞれの回転の中心部付近に上記回転軸が軸方向に挿入可能に形成されると共に、上記回転軸の回転方向に応じて上記回転軸の突起部との係合を回避可能にする第１係合回避領域及び第２係合回避領域をそれぞれ備えている。
このように構成された本発明においては、第１回転巻取部材の第１切欠き部及び第２回転巻取部材の第２切欠き部が、それぞれの回転の中心部付近に回転軸が軸方向に挿入可能に形成されると共に、回転軸の回転方向に応じて回転軸の突起部との係合を回避可能にする第１係合回避領域及び第２係合回避領域をそれぞれ備えている。これらにより、操作部の各操作モードにおいて、第１回転巻取部材及び第２回転巻取部材の互いの干渉を抑制しながら、各操作モードに応じて第１回転巻取部材又は第２回転巻取部材のいずれか一方を回転軸と共に効率良く独立に回転操作することができる。
したがって、操作部の各操作モードにおいて、第１回転巻取部材又は第２回転巻取部材のいずれか一方の回転巻取部材が、他方の回転巻取部材に対する干渉を抑制しながら、独立にスムーズに作動することができる。これにより、各操作モードに応じた排水弁操作装置の操作性を向上させることができる。
【００１３】
本発明において、好ましくは、上記第１回転巻取部材の第１切欠き部は、上記初期位置において、上記回転軸の第１突起側面と係合する第１切欠き側面と、この第１切欠き側面に対して上記第２回転方向側に離間する第２切欠き側面と、を備え、上記第２回転巻取部材の第２切欠き部は、上記初期位置において、上記回転軸の第２突起側面と係合する第３切欠き側面と、この第３切欠き側面に対して上記第１回転方向側に離間する第４切欠き側面と、を備え、上記第１係合回避領域においては、上記回転軸が上記初期位置と上記第２最大回転位置との間に位置しているときに、上記回転軸の突起部の第２突起側面と上記第１回転巻取部材の第１切欠き部の第２切欠き側面との係合が回避可能であり、上記第２係合回避領域においては、上記回転軸が上記初期位置と上記第１最大回転位置との間に位置しているときに、上記回転軸の突起部の第１突起側面と上記第２回転巻取部材の第２切欠き部の第４切欠き側面との係合が回避可能である。
このように構成された本発明においては、回転軸が初期位置と第２最大回転位置との間に位置しているときには、第１回転巻取部材の第１切欠き部の第１係合回避領域により、回転軸の突起部の第２突起側面と第１回転巻取部材の第１切欠き部の第２切欠き側面との係合を簡易な構造で回避することができる。
一方、回転軸が初期位置と第１最大回転位置との間に位置しているときには、第２回転巻取部材の第２切欠き部の第２係合回避領域により、回転軸の突起部の第１突起側面と第２回転巻取部材の第２切欠き部の第４切欠き側面との係合を簡易な構造で回避することができる。
【００１４】
本発明において、好ましくは、上記操作部の第１操作モードにより上記回転軸が上記初期位置から上記第１回転方向に回転操作された場合には、上記第１係合回避領域において、上記第１回転巻取部材の第１切欠き部の第１切欠き側面と上記回転軸の第１突起側面とが互いに係合した状態が維持される一方、上記第２係合回避領域において、上記第２回転巻取部材の第２切欠き部の第３切欠き側面と上記回転軸の第２突起側面との互いの係合が解除された状態となり、
上記操作部の第２操作モードにより上記回転軸が上記初期位置から上記第２回転方向に回転操作された場合には、上記第２係合回避領域において、上記第２回転巻取部材の第２切欠き部の第３切欠き側面と上記回転軸の第２突起側面とが互いに係合した状態が維持される一方、上記第１係合回避領域において、上記第１回転巻取部材の第１切欠き部の第１切欠き側面と上記回転軸の第１突起側面との互いの係合が解除された状態となる。
このように構成された本発明においては、まず、操作部の第１操作モードにより回転軸が初期位置から第１回転方向に回転操作された場合には、第１係合回避領域において、第１回転巻取部材の第１切欠き部の第１切欠き側面と回転軸の第１突起側面とが互いに係合した状態が維持される。このとき、第２係合回避領域においては、第２回転巻取部材の第２切欠き部の第３切欠き側面と回転軸の第２突起側面との互いの係合が解除された状態となる。
つぎに、操作部の第２操作モードにより回転軸が初期位置から第２回転方向に回転操作された場合には、第２係合回避領域において、第２回転巻取部材の第２切欠き部の第３切欠き側面と回転軸の第２突起側面とが互いに係合した状態が維持される。このとき、第１係合回避領域においては、第１回転巻取部材の第１切欠き部の第１切欠き側面と回転軸の第１突起側面との互いの係合が解除された状態となる。
これらの結果、操作部の各操作モードにおいて、第１回転巻取部材及び第２回転巻取部材の互いの干渉を抑制しながら、各操作モードに応じて第１回転巻取部材又は第２回転巻取部材のいずれか一方を回転軸と共に効率良く独立に回転操作することができる。
よって、操作部の各操作モードにおいて、第１回転巻取部材又は第２回転巻取部材のいずれか一方が他方との干渉を抑制しながら、独立にスムーズに作動することができるため、各操作モードに応じた排水弁操作装置の操作性を向上させることができる。
また、第１洗浄モード及び第２洗浄モードの異なる洗浄モードのそれぞれの便器洗浄についても正確に実行することができる。
【００１５】
本発明において、好ましくは、上記第１回転巻取部材及び上記第２回転巻取部材は、それぞれの外周において上記第１連結部材及び上記第２連結部材のそれぞれの他端が取り付け可能な第１取付部及び第２取付部をそれぞれ備え、これらの取付部は、上記初期位置において、上記第１回転巻取部材及び上記第２回転巻取部材のそれぞれの回転中心軸線方向に互いにほぼ並列して配置され、
上記第１連結部材及び上記第２連結部材は、立面視において上記第１回転巻取部材及び上記第２回転巻取部材の回転中心に対して一方側と他方側とに互いに対称に配置され、
上記初期位置において、上記第１回転巻取部材の上記第１取付部及び上記第１連結部材の他端は、上記第１連結部材が上記第１回転方向に上記第１回転巻取部材の外周に沿って所定長さだけ予め巻き取られた位置に設定されており、且つ、上記第２回転巻取部材の上記第２取付部及び上記第２連結部材の他端は、上記第２連結部材が上記第２回転方向に上記第２回転巻取部材の外周に沿って上記所定長さだけ予め巻き取られた位置に設定されている。
このように構成された本発明においては、第１回転巻取部材の第１取付部及び第２回転巻取部材の第２取付部が、第１回転巻取部材及び第２回転巻取部材のそれぞれの回転中心軸線方向にほぼ並列して配置されている。また、第１連結部材及び上記第２連結部材は、立面視において第１回転巻取部材及び第２回転巻取部材の回転中心に対して一方側と他方側とに互いに対称に配置されている。さらに、第１回転巻取部材の第１取付部及び第１連結部材の他端は、初期位置において、第１連結部材が第１回転方向に第１回転巻取部材の外周に沿って所定長さだけ予め巻き取られた位置に設定されており、且つ、第２回転巻取部材の第２取付部及び第２連結部材の他端は、第２連結部材が第２回転方向に第２回転巻取部材の外周に沿って上記所定長さだけ予め巻き取られた位置に設定されている。
これらにより、各洗浄モードに応じて第１回転巻取部材又は第２回転巻取部材のいずれか一方が独立に回転した際にも、第１連結部材又は第２連結部材のいずれか一方が他方に干渉することなく、確実に且つスムーズに移動することができる。
【００１６】
本発明において、好ましくは、さらに、上記第１回転巻取部材及び上記第２回転巻取部材を回転可能に保持する保持部を有し、上記保持部は、上記第１回転巻取部材の初期位置と第１最大回転位置との間の回転角度の範囲を制限可能にすると共に、上記第２回転巻取部材の初期位置と第２最大回転位置との間の回転角度の範囲を制限可能にする回転角度制限部を備えている。
このように構成された本発明においては、第１回転巻取部材及び第２回転巻取部材を回転可能に保持する保持部により、第１回転巻取部材の初期位置と第１最大回転位置との間の回転角度の範囲を制限することができると共に、第２回転巻取部材の初期位置と第２最大回転位置との間の回転角度の範囲を制限することができる。
したがって、各洗浄モードに応じた第１回転巻取部材又は第２回転巻取部材のいずれか一方の回転動作を正確に行うことができる。よって、各洗浄モードに応じた開弁操作時の排水弁の引き上げ量を正確に管理することができる。
【００１７】
本発明において、好ましくは、上記第１回転巻取部材は、その初期位置で上記保持部の回転角度制限部と係合可能な第１係合部と、上記第１最大回転位置で上記回転角度制限部と係合可能な第２係合部と、を備え、上記第２回転巻取部材は、その初期位置で上記保持部の回転角度制限部と係合可能な第３係合部と、上記第２最大回転位置で上記回転角度制限部と係合可能な第４係合部と、を備えている。
このように構成された本発明においては、第１回転巻取部材が初期位置にあるときには、第１回転巻取部材の第１係合部が保持部の回転角度制限部と係合し、第１回転巻取部材が第１最大回転位置にあるときには、第１回転巻取部材の第２係合部が保持部の回転角度制限部と係合することができる。
また、第２回転巻取部材が初期位置にあるときには、第２回転巻取部材の第３係合部が保持部の回転角度制限部と係合し、第２回転巻取部材が第２最大回転位置にあるときには、第２回転巻取部材の第４係合部が保持部の回転角度制限部と係合することができる。
したがって、第１回転巻取部材の初期位置と第１最大回転位置との間の回転角度の範囲を確実に制限することができると共に、第２回転巻取部材の初期位置と第２最大回転位置との間の回転角度の範囲を確実に制限することができる。
よって、各洗浄モードに応じた第１回転巻取部材又は第２回転巻取部材のいずれか一方の回転動作をより正確に行うことができるため、各洗浄モードに応じた開弁操作時の排水弁の引き上げ量をより正確に管理することができる。
【００１８】
本発明において、好ましくは、上記第１連結部材は、その一端が上記排水弁の第１連結部に係合／係合解除可能に連結され、上記第２連結部材は、その一端が上記排水弁の第１連結部に隣接する第２連結部に係合／係合解除可能に連結されている。
このように構成された本発明においては、まず、操作部の第１操作モードにより回転軸及び第１回転巻取部材が初期位置から第１回転方向に回転操作されると、第１連結部材のみが第１回転巻取部材により第１量だけ巻き取られるため、排水弁の第１連結部は、第１連結部材の一端により係合された状態で引き上げられる。
このとき、第２回転巻取部材は静止しており、第２連結部材については巻き取られていないため、排水弁の第２連結部は、第２連結部材の一端との係合が解除された状態で、排水弁の第１連結部及び第１連結部材と共に引き上げられて、第２連結部材の一端に対して上方に摺動移動する。
つぎに、操作部の第２操作モードにより回転軸及び第２回転巻取部材が初期位置から第２回転方向に回転操作されると、第２連結部材のみが第２回転巻取部材により第２量だけ巻き取られるため、排水弁の第２連結部は、第２連結部材の一端により係合された状態で引き上げられる。
このとき、第１回転巻取部材は静止しており、第１連結部材については巻き取られていないため、排水弁の第１連結部は、第１連結部材の一端との係合が解除された状態で、排水弁の第２連結部及び第２連結部材と共に引き上げられて、第１連結部材の一端に対して上方に摺動移動する。
これらの結果、各洗浄モードに応じた排水弁の開弁操作中に第１連結部材と第２連結部材について、互いに干渉し合うことを抑制することができる。また、第１連結部材及び第２連結部材と、これらの周辺の排水弁の関連構造部分とが互いに干渉し合うことを抑制することもできる。
したがって、各洗浄モードに応じた排水弁の開弁操作を正確に行うことができ、貯水タンクから第１洗浄モード及び第２洗浄モードの異なる洗浄モードに応じた洗浄水量を便器に正確に供給することができ、便器洗浄を正確に実行することができる。
【００１９】
本発明において、好ましくは、さらに、上記排水弁の開弁操作を手動の押圧操作で可能にする手動操作部を有する。
このように構成された本発明においては、排水弁の開弁操作について、電動操作部による電動操作で行うことができることに加えて、手動操作部による手動の押圧操作でも行うこともできる。
したがって、便器洗浄を実行する際に、使用者の好みに応じて、電動操作部による電動操作と手動操作部による手動の押圧操作とを適宜使い分けることができる。
また、万一、電動操作部においてメンテナンスや不具合が発生したり、停電等のトラブル等が発生したりした場合であっても、手動操作部の手動の押圧操作により排水弁の開弁操作を確実に行うことができる。
【００２０】
つぎに、本発明は、上記排水弁操作装置を有することを特徴とする洗浄水タンク装置である。
このように構成された本発明においては、排水弁操作装置による排水弁の開弁操作により、洗浄水タンク装置から第１洗浄モード及び第２洗浄モードの異なる洗浄モードに応じた洗浄水量を便器に正確に供給することができる。
したがって、便器洗浄を正確に実行することができる洗浄水タンク装置を提供することができる。
【００２１】
つぎに、本発明は、上記洗浄水タンク装置を有することを特徴とする水洗大便器である。
このように構成された本発明においては、排水弁操作装置による排水弁の開弁操作により、洗浄水タンク装置から第１洗浄モード及び第２洗浄モードの異なる洗浄モードに応じた洗浄水量を便器に正確に供給することができる。
したがって、便器洗浄を正確に実行することができる水洗大便器を提供することができる。
【発明の効果】
【００２２】
本発明の排水弁操作装置、洗浄水タンク装置、及び、水洗大便器によれば、排水弁の開弁操作の操作性を向上させることができ、複数の洗浄モードに応じた便器洗浄を正確に実行することができる。
【図面の簡単な説明】
【００２３】
【図１】本発明の第１実施形態による排水弁操作装置が適用された洗浄水タンク装置を備えた水洗大便器を示す概略斜視図である。
【図２】本発明の第１実施形態による排水弁操作装置が適用された洗浄水タンク装置の内部構造を前方斜め上方から見た概略斜視図である。
【図３】図２のＩＩＩ−ＩＩＩ線に沿った断面図であり、本発明の第１実施形態による排水弁操作装置が適用された洗浄水タンク装置における排水弁装置の中央側面断面図である。
【図４】本発明の第１実施形態による排水弁操作装置の電動操作ユニットについて、左前方斜め上方から見た分解斜視図である。
【図５】本発明の第１実施形態による排水弁操作装置の電動操作ユニットについて、右前方斜め上方から見た分解斜視図である。
【図６】図２に示す本発明の第１実施形態による排水弁操作装置の電動操作ユニットのケーシング部分を拡大した拡大斜視図である。
【図７Ａ】図６のＡ−Ａ線に沿った断面図であり、本発明の第１実施形態による排水弁操作装置の電動操作ユニットにおける各洗浄操作モードが開始する前の初期状態（待機状態）を示す。
【図７Ｂ】図６のＢ−Ｂ線に沿った断面図であり、本発明の第１実施形態による排水弁操作装置の電動操作ユニットにおける各洗浄操作モードが開始する前の初期状態（待機状態）を示す。
【図７Ｃ】図６のＣ−Ｃ線に沿った断面図であり、本発明の第１実施形態による排水弁操作装置の電動操作ユニットにおける各洗浄操作モードが開始する前の初期状態（待機状態）を示す。
【図７Ｄ】図６のＤ−Ｄ線に沿った断面図であり、本発明の第１実施形態による排水弁操作装置の電動操作ユニットにおける各洗浄操作モードが開始する前の初期状態（待機状態）を示す。
【図８Ａ】図６のＡ−Ａ線に沿った断面図であり、本発明の第１実施形態による排水弁操作装置の電動操作ユニットにおける大洗浄操作モードが完了した状態を示す。
【図８Ｂ】図６のＢ−Ｂ線に沿った断面図であり、本発明の第１実施形態による排水弁操作装置の電動操作ユニットにおける大洗浄操作モードが完了した状態を示す。
【図８Ｃ】図６のＣ−Ｃ線に沿った断面図であり、本発明の第１実施形態による排水弁操作装置の電動操作ユニットにおける大洗浄操作モードが完了した状態を示す。
【図８Ｄ】図６のＣ−Ｃ線に沿った断面図であり、本発明の第１実施形態による排水弁操作装置の電動操作ユニットにおける大洗浄操作モードが完了した状態を示す。
【図９Ａ】図６のＡ−Ａ線に沿った断面図であり、本発明の第１実施形態による排水弁操作装置の電動操作ユニットにおける小洗浄操作モードが完了した状態を示す。
【図９Ｂ】図６のＢ−Ｂ線に沿った断面図であり、本発明の第１実施形態による排水弁操作装置の電動操作ユニットにおける小洗浄操作モードが完了した状態を示す。
【図９Ｃ】図６のＣ−Ｃ線に沿った断面図であり、本発明の第１実施形態による排水弁操作装置の電動操作ユニットにおける小洗浄操作モードが完了した状態を示す。
【図９Ｄ】図５のＣ−Ｃ線に沿った断面図であり、本発明の第１実施形態による排水弁操作装置の電動操作ユニットにおける小洗浄操作モードが完了した状態を示す。
【図１０】図１０の（Ａ）は、本発明の第１実施形態による排水弁操作装置の電動操作ユニットにおける各洗浄操作モードが開始する前の初期状態（待機状態）の各電動ワイヤと排水弁装置の各ワイヤ取付部との連結状態を示す概略斜視図である。また、図１０の（Ｂ）は、本発明の第１実施形態による排水弁操作装置の電動操作ユニットにおける大洗浄操作モードが完了した状態の各電動ワイヤと排水弁装置の各ワイヤ取付部との連結状態を示す概略斜視図である。さらに、図１０の（Ｃ）は、本発明の第１実施形態による排水弁操作装置の電動操作ユニットにおける小洗浄操作モードが完了した状態の各電動ワイヤと排水弁装置の各ワイヤ取付部との連結状態を示す概略斜視図である。
【図１１】本発明の第２実施形態による排水弁操作装置が適用された洗浄水タンク装置の内部構造を前方斜め上方から見た概略斜視図である。
【図１２】本発明の第３実施形態による排水弁操作装置が適用された洗浄水タンク装置の内部構造を前方斜め上方から見た概略斜視図である。
【図１３】本発明の第４実施形態による排水弁操作装置が適用された洗浄水タンク装置の内部構造を前方斜め上方から見た概略斜視図である。
【発明を実施するための形態】
【００２４】
以下、添付図面を参照して、本発明の第１実施形態による排水弁操作装置について説明する。
まず、図１は、本発明の第１実施形態による排水弁操作装置が適用された洗浄水タンク装置を備えた水洗大便器を示す概略斜視図である。
図１に示すように、本発明の第１実施形態による排水弁操作装置１は、水洗大便器２に洗浄水を供給する洗浄水タンク装置４に設けられている。
この洗浄水タンク装置４は、水洗大便器２の便器本体２ａの上面且つ後方側に取り付けられた貯水タンク６を備えている。この貯水タンク６は、その内部に貯水された洗浄水について重力を利用して水洗大便器２に洗浄水を供給する、いわゆる、重力給水式の貯水タンクである。
【００２５】
なお、本実施形態では、水洗大便器２については、洗浄水タンク装置４から供給された洗浄水が便器本体２ａ内のボウル２ｂの高さ方向の落差により汚物を排出する、いわゆる、洗い落とし式便器に適用してもよいし、サイホン作用を利用してボウル２ｂ内の汚物を吸い込んで排水トラップ管路（図示せず）から一気に外部に排出する、いわゆる、サイホン式便器等、種々の形態の水洗大便器に適用可能である。
【００２６】
つぎに、図２は、本発明の第１実施形態による排水弁操作装置が適用された洗浄水タンク装置の内部構造を前方斜め上方から見た概略斜視図である。
図１及び図２に示すように、本実施形態の排水弁操作装置１は、手動操作ユニット８及び電動操作ユニット１０を備えている。
また、図１及び図２に示すように、手動操作ユニット８は、貯水タンク６の上方のタンク蓋６ａに設けられており、電動操作ユニット１０は、詳細は後述するが、貯水タンク６内の後壁面の上方に取り付けられている。
さらに、図２に示すように、貯水タンク６の内部には、給水弁装置１２及び排水弁装置１４がそれぞれ設けられている。
【００２７】
つぎに、図２に示すように、給水弁装置１２は、給水管（図示せず）、給水バルブ１２ａ、及び、フロート１２ｂ等を備えている。給水管（図示せず）は、水道等の貯水タンク６の外部の給水源（図示せず）と接続されている。
また、給水バルブ１２ａは、給水管（図示せず）の流路を開閉するものであり、フロート１２ｂは、貯水タンク６内の水位の変動に応じて上下動するようになっている。このフロート１２ｂが上下動することにより、給水バルブ１２ａが給水管（図示せず）の流路を開閉し、貯水タンク６内への吐水又は止水が切り替え可能となっている。
なお、給水弁装置１２の詳細については、従来のものと同様であるため、説明を省略する。
【００２８】
つぎに、図３は、図２のＩＩＩ−ＩＩＩ線に沿った断面図であり、本発明の第１実施形態による排水弁操作装置が適用された洗浄水タンク装置における排水弁装置の中央側面断面図である。
図２及び図３に示すように、排水弁装置１４は、上下方向に延びる主軸部材１６、排水弁体１８、下側リンク部材２０、上側リンク部材２２、大洗浄モード用の受圧部材２４、及び、小洗浄モード用の受圧部材２６をそれぞれ備えている。
排水弁体１８は、主軸部材１６の下端に設けられており、主軸部材１６と共に上下動することにより貯水タンク６の底部の排水口６ｂを開閉する排水弁として機能するようになっている。
そして、便器洗浄を開始する際には、手動操作ユニット８の手動操作、又は、詳細は後述する電動操作ユニット１０（詳細は後述する）の電動操作のいずれかの操作により、排水弁体１８の引き上げ操作（開弁操作）が可能となっている。
また、図３に示すように、排水弁体１８が開弁している状態では、貯水タンク６内の洗浄水が排水口６ｂからその下方（下流側）の便器本体２ａの導水路（図示せず）内に流入するようになっている。
【００２９】
つぎに、図３に示すように、排水弁装置１４の下側リンク部材２０は、主軸部材１６の上端部から外側に突出する手動操作用の取付部１６ａに取り付けられ、この下側リンク部材２０の上端部には、上側リンク部材２２の一端部が枢動可能に連結されている。
また、図２及び図３に示すように、各受圧部材２４，２６は、排水弁装置１４のケーシング２８の上端部に対して上下方向に摺動可能に取り付けられており、各受圧部材２４，２６には、共通の上側リンク部材２２が揺動可能に連結されている。
【００３０】
つぎに、図２及び図３に示すように、本発明の第１実施形態による排水弁操作装置１の手動操作ユニット８については、いわゆる、「操作ボタン式」の手動操作ユニットであり、手動により押し下げ操作（押圧操作）可能な大洗浄モード用の操作ボタン３０及び小洗浄モード用の操作ボタン３２と、各操作ボタン３０，３２から下方に延びる大洗浄モード用の操作バー３４及び小洗浄モード用の操作バー３６とをそれぞれ備えている。
また、図２及び図３に示すように、手動操作ユニット８の各操作バー３４，３６の下端は、排水弁装置１４の各受圧部材２４，２６の上端面（受圧面）に常時当接した状態となっている。
ちなみに、図２及び図３に示すように、例えば、手動操作ユニット８により大洗浄モードの手動操作を行う際には、大洗浄モード用の操作ボタン３０が小洗浄モード用の操作ボタン３２よりも大きい押し込み量で押し下げられることにより、大洗浄モード用の操作バー３４及び大洗浄モード用の受圧部材２４が連動して下方に移動するようになっている。これにより、共通の上側リンク部材２２が小洗浄モードの操作時よりも大きな揺動角度で揺動し、下側リンク部材２０が小洗浄モードの操作時よりも大きい引き上げ量で引き上げられるようになっている。そして、排水弁装置１４の排水弁体１８が、主軸部材１６と共に閉弁位置（初期位置）Ｐ０から大洗浄モードの最高開弁位置Ｐ１まで最大引き上げ量Ｈ１［ｍｍ］だけ引き上げられるようになっている。
一方、図２及び図３に示すように、手動操作ユニット８により小洗浄モードの手動操作を行う際には、小洗浄モード用の操作ボタン３２が大洗浄モード用の操作ボタン３０がよりも小さい押し込み量で押し下げられた状態で、操作ボタン３２のさらなる下方の移動が制限されるようになっている。そして、小洗浄モード用の操作バー３６及び小洗浄モード用の受圧部材２６は、連動して下方に移動するが、大洗浄モード用の操作バー３４及び大洗浄モード用の受圧部材２４よりも上方の位置で停止するようになっている。
これにより、共通の上側リンク部材２２が大洗浄モードの操作時よりも小さい揺動角度で揺動し、下側リンク部材２０が大洗浄モードの操作時よりも小さい引き上げ量で引き上げられるようになっている。そして、排水弁装置１４の排水弁体１８が、主軸部材１６と共に閉弁位置Ｐ０から小洗浄モードの最高開弁位置Ｐ２まで、大洗浄モードの操作時の引き上げ量Ｈ１［ｍｍ］よりも小さい最大引き上げ量Ｈ２［ｍｍ］（Ｈ２＜Ｈ１）で引き上げられるようになっている。
【００３１】
つぎに、図２〜図１０を参照して、本発明の第１実施形態による排水弁操作装置１の電動操作ユニット１０の詳細について説明する。
まず、図４は、本発明の第１実施形態による排水弁操作装置の電動操作ユニットについて、左前方斜め上方から見た分解斜視図である。つぎに、図５は、本発明の第１実施形態による排水弁操作装置の電動操作ユニットについて、右前方斜め上方から見た分解斜視図である。
図４及び図５に示すように、本実施形態による排水弁操作装置１の電動操作ユニット１０は、ホルダ３８、アクチュエータ４０、回転軸部材４２、留め具４４、ケーシング４６、大洗浄モード操作用の第１プーリ４８（第１回転巻取部材）、小洗浄モード操作用の第２プーリ５０（第２回転巻取部材）、戻りばね５２（付勢部材）、大洗浄モード操作用の第１電動ワイヤ５４（第１連結部材）、及び、小洗浄操作用の第２電動ワイヤ５６（第２連結部材）をそれぞれ備えている。
【００３２】
まず、図２、図４及び図５に示すように、電動操作ユニット１０のホルダ３８は、貯水タンク６内の後壁面の上方に取り付けられて、貯水タンク６内に電動操作ユニット１０全体を固定するためのものである。
つぎに、図４及び図５に示すように、電動操作ユニット１０のアクチュエータ４０は、複数のギヤ（図示せず）を備えたギヤボックス（図示せず）やＤＣモータ（図示せず）等を内蔵しており、ホルダ３８によって貯水タンク６内に固定されている。
また、アクチュエータ４０は、外部からの電力によってＤＣモータ（図示せず）が駆動し、電気的に回転駆動可能な電動回転軸４０ａを備えている。
さらに、図４及び図５に示すように、電動操作ユニット１０の回転軸部材４２は、詳細については後述するが、概ね円筒又は円柱状に形成され、アクチュエータ４０の電動回転軸４０ａの先端部に連結されている。
また、回転軸部材４２の軸方向基端側のベース部４２ａの外周面の一部には、外側から留め具４４が取り付けられている。これにより、回転軸部材４２は、電動回転軸４０ａに対して固定されており、電動回転軸４０ａと一体的に回転可能となっている。
ちなみに、電動操作ユニット１０による電動操作においては、例えば、水洗大便器２の周辺に設置された人感センサＳ（図１参照）が感知して送信された信号に基づいて、及び／又は、使用者がリモコン又はコントローラ等の指令装置Ｃ（図１参照）の所定の操作ボタン等を操作して送信された信号に基づいて、ＤＣモータ（図示せず）等のアクチュエータ４０の駆動が制御され、電動回転軸４０ａの回転駆動が制御されるようになっている。
なお、本実施形態では、人感センサＳ（図１参照）及び指令装置Ｃ（図１参照）の双方を備えた形態について説明するが、いずれか一方を省略して他方のみから送信される信号に基づいて、電動操作ユニット１０の電動回転軸４０ａを作動させるようにしてもよい。
【００３３】
つぎに、図６は、図２に示す本発明の第１実施形態による排水弁操作装置の電動操作ユニットのケーシング部分を拡大した拡大斜視図である。
まず、図４〜図６に示すように、電動操作ユニット１０のケーシング４６は、回転軸部材４２の軸方向の基端側に設けられた第１ケーシング４６ａと、回転軸部材４２の軸方向の先端側に設けられた第２ケーシング４６ｂとを備えている。このケーシング４６は、回転軸部材４２の外周面を回転可能に保持する保持部であり、保持状態では、ケーシング４６の一部がホルダ３８によって固定されている。
また、図４及び図５に示すように、ケーシング４６内（第１ケーシング４６ａと第２ケーシング４６ｂとの間）には、概ね円板状の第１プーリ４８及び第２プーリ５０が回転可能に収容されている。
これらの第１プーリ４８及び第２プーリ５０の詳細については、後述するが、電動操作ユニット１０が電動操作したときの各操作モード（大洗浄操作モード又は小洗浄操作モード）に応じて、プーリ４８，５０のいずれか一方が回転軸部材４２と共に回転すると共に、プーリ４８，５０の他方に対して独立に回転可能となっている。
【００３４】
さらに、図４及び図５に示すように、ケーシング４６内（第１ケーシング４６ａと第２ケーシング４６ｂとの間）には、単一の戻りばね５２が設けられている。
この戻りばね５２の詳細についても、後述するが、戻りばね５２の一部が各プーリ４８，５０の一部に取り付けられている。これにより、戻りばね５２は、電動操作ユニット１０による各洗浄モードに応じた電動操作の操作終了後には、第１プーリ４８又は第２プーリ５０のいずれかについて、初期位置に復帰させるように付勢する付勢部材として機能するようになっている。
【００３５】
つぎに、図４〜図６に示すように、電動操作ユニット１０の第１電動ワイヤ５４及び第２電動ワイヤ５６は、それぞれの一端が対応する第１プーリ４８及び第２プーリ５０のそれぞれの一部に取り付けられている。
一方、図３に示すように、各電動ワイヤ５４，５６の他端の突起５４ｂ，５６ｂは、排水弁装置１４の主軸部材１６の上端部に設けられている各ワイヤ取付部（詳細は後述する大洗浄操作用の第１ワイヤ取付部１６ｂ及び小洗浄操作用の第２ワイヤ取付部１６ｃ）に取り付けられるようになっている。
【００３６】
また、図４〜図６に示すように、各ワイヤ５４，５６は、その外側が各保護チューブ５８，６０によってそれぞれ保護されており、各保護チューブ５８，６０内を摺動可能となっている。
さらに、図４〜図６に示すように、各保護チューブ５８，６０の一端は、電動操作ユニット１０のケーシング４６の各保護チューブ取付部４６ｃ，４６ｄにそれぞれ固定されている。
一方、図２及び図３に示すように、各保護チューブ５８，６０の他端は、排水弁装置１４のケーシング２８の各保護チューブ取付部２８ａ，２８ｂにそれぞれ固定されている。
【００３７】
ちなみに、各電動ワイヤ５４，５６は、電動操作ユニット１０が電動操作したときの各操作モード（大洗浄操作モード又は小洗浄操作モード）に応じて、プーリ４８，５０のいずれか一方が回転軸部材４２と共に回転した際に、第１電動ワイヤ５４又は第２電動ワイヤ５６のいずれか一方が、これと対応する第１プーリ４８又は第２プーリ５０のいずれかにより巻き取られるようになっている。
これにより、第１電動ワイヤ５４又は第２電動ワイヤ５６のいずれか一方が引き上げられて、排水弁装置１４の主軸部材１６の各ワイヤ取付部１６ｂ，１６ｂが引き上げられるようになっている。
【００３８】
つぎに、図４〜図１０を参照して、電動操作ユニット１０における回転軸部材４２、大洗浄モード操作用の第１プーリ４８、小洗浄モード操作用の第２プーリ５０、戻りばね５２、大洗浄モード操作用の第１電動ワイヤ５４、及び、小洗浄操作用の第２電動ワイヤ５６のそれぞれについて、より具体的に説明する。
まず、図７Ａ〜図７Ｄのそれぞれは、図６におけるＡ−Ａ線、Ｂ−Ｂ線、Ｃ−Ｃ線、Ｄ−Ｄ線のそれぞれに沿った断面図であり、本発明の第１実施形態による排水弁操作装置の電動操作ユニットにおける各洗浄操作モードが開始する前の初期状態（待機状態）を示す。
また、図８Ａ〜図８Ｄのそれぞれは、図６におけるＡ−Ａ線、Ｂ−Ｂ線、Ｃ−Ｃ線、Ｄ−Ｄ線のそれぞれに沿った断面図であり、本発明の第１実施形態による排水弁操作装置の電動操作ユニットにおける大洗浄操作モードが完了した状態を示す。
さらに、図９Ａ〜図９Ｄのそれぞれは、図６におけるＡ−Ａ線、Ｂ−Ｂ線、Ｃ−Ｃ線、Ｄ−Ｄ線のそれぞれに沿った断面図であり、本発明の第１実施形態による排水弁操作装置の電動操作ユニットにおける小洗浄操作モードが完了した状態を示す。
【００３９】
まず、図４、図５及び図７Ａ〜図９Ｄに示すように、電動操作ユニット１０の回転軸部材４２は、そのベース部４２ａから軸方向先端側に延びる回転軸本体部４２ｂ、及び、この回転軸本体部４２ｂの外周面の一部から外側に突出する突起部４２ｃを備えている。
また、図７Ａ〜図７Ｄに示すように、電動操作ユニット１０の各操作モードが開始する前の初期位置（待機位置）Ｐ０の回転軸部材４２は、その突起部４２ｃが水平方向に差し向けられている。
つぎに、図７Ａ〜図８Ｄに示すように、電動操作ユニット１０の第１操作モード（大洗浄操作モード）により電動回転軸４０ａの回転操作を行った場合には、回転軸部材４２は、図７Ａ〜図７Ｄに示す初期位置（待機位置）Ｐ０から回転中心軸線Ｏを中心に第１回転方向Ｒ１に回転し、図８Ａ〜図８Ｄに示す第１最大回転角度θ１の第１最大回転位置Ｐ１まで電動回転軸４０ａと一体的に回転可能となっている。
一方、電動操作ユニット１０の第２操作モード（小洗浄操作モード）により電動回転軸４０ａの回転操作を行った場合には、回転軸部材４２は、図７Ａ〜図７Ｄに示す初期位置Ｐ０から回転中心軸線Ｏを中心に第２回転方向Ｒ２（第１回転方向Ｒ１とは反対の回転方向）に回転し、図９Ａ〜図９Ｄに示す第２最大回転角度θ２の第２最大回転位置Ｐ２まで電動回転軸４０ａと一体的に回転可能となっている。
また、図７Ａ〜図９Ｄに示すように、回転軸部材４２の突起部４２ｃは、第１回転方向Ｒ１側に形成される第１突起側面４２ｄを備え、さらに、この第１突起側面４２ｄよりも第２回転方向Ｒ２側に形成される第２突起側面４２ｅを備えている。
【００４０】
つぎに、図４、図５、図７Ａ〜図７Ｃ、図８Ａ〜図８Ｃ、及び、図９Ａ〜図９Ｃに示すように、第１プーリ４８及び第２プーリ５０のそれぞれにおいて、回転中心軸線Ｏを含む中心部及びその周辺部には、第１切欠き穴６２（第１切欠き部）及び第２切欠き穴６４（第２切欠き部）がそれぞれ形成されている。
また、図７Ａ〜図７Ｃ、図８Ａ〜図８Ｃ、及び、図９Ａ〜図９Ｃに示すように、各プーリ４８，５０の各切欠き穴６２，６４は、立面視において概ね扇形形状に形成されており、回転軸部材４２の回転軸本体部４２ｂ及び突起部４２ｃが軸方向から挿入可能となっている。
特に、図７Ａ〜図７Ｃ、図８Ａ〜図８Ｃ、及び、図９Ａ〜図９Ｃに示すように、各切欠き穴６２，６４の断面形状については、回転軸部材４２の回転軸本体部４２ｂ及び突起部４２ｃの断面積よりも大きく周方向に切り欠かれた形状になっている。
これにより、図７Ａ〜図７Ｃ、図８Ａ〜図８Ｃ、及び、図９Ａ〜図９Ｃに示すように、電動操作ユニット１０の各洗浄操作モードに応じて回転軸部材４２の突起部４２ｃが第１回転方向Ｒ１又は第２回転方向Ｒ２に回転した際における各切欠き穴６２，６４には、そのいずれか一方と回転軸部材４２の突起部４２ｃとの係合が回避可能となる領域（第１係合回避領域Ａ１、第２係合回避領域Ａ２）が形成されるようになっている。
【００４１】
つぎに、図７Ａ〜図７Ｃに示すように、第１プーリ４８の第１切欠き穴６２は、初期位置Ｐ０において、回転軸部材４２の突起部４２ｃの第１突起側面４２ｄと係合する第１切欠き側面６２ａを備えており、さらに、この第１切欠き側面６２ａに対して第２回転方向Ｒ２側に離間する第２切欠き側面６２ｂを備えている。
また、図７Ａ〜図７Ｃに示すように、第２プーリ５０の第２切欠き穴６４は、初期位置Ｐ０において、回転軸部材４２の突起部４２ｃの第２突起側面４２ｅと係合する第３切欠き側面６４ａを備えており、さらに、この第３切欠き側面６４ａに対して第１回転方向Ｒ１側に離間する第４切欠き側面６４ｂを備えている。
さらに、図７Ａ、図７Ｃ、図９Ａ、及び、図９Ｃに示すように、第１プーリ４８の第１切欠き穴６２の第１係合回避領域Ａ１においては、回転軸部材４２の突起部４２ｃが初期位置Ｐ０と第２最大回転位置Ｐ２との間に位置しているときに、回転軸部材４２の突起部４２ｃの第２突起側面４２ｅと第１切欠き穴６２の第２切欠き側面６２ｂとの係合が回避可能でとなっている。
また、図７Ｂ及び図８Ｂに示すように、第２プーリ５０の第２切欠き穴６４の第２係合回避領域Ａ２においては、回転軸部材４２の突起部４２ｃが初期位置Ｐ０と第１最大回転位置Ｐ１との間に位置しているときに、回転軸部材４２の突起部４２ｃの第１突起側面４２ｄと第２切欠き穴６４の第４切欠き側面６４ｂとの係合が回避可能となっている。
【００４２】
つぎに、図７Ａ、図７Ｃ、図８Ａ、及び、図８Ｃに示すように、電動操作ユニット１０の第１操作モード（大洗浄操作モード）により回転軸部材４２の突起部４２ｃが初期位置Ｐ０から第１回転方向Ｒ１に回転操作された場合には、第１プーリ４８の第１切欠き穴６２の第１係合回避領域Ａ１において、第１切欠き穴６２の第１切欠き側面６２ａと回転軸部材４２の突起部４２ｃの第１突起側面４２ｄとが互いに係合した状態が維持されるようになっている。
このとき、図７Ｂ及び図８Ｂに示すように、第２プーリ５０の第２切欠き穴６４の第２係合回避領域Ａ２においては、第２切欠き穴６４の第３切欠き側面６４ａと回転軸部材４２の突起部４２ｃの第２突起側面４２ｅとの互いの係合が解除された状態となるようになっている。
【００４３】
一方、図７Ｂ及び図９Ｂに示すように、電動操作ユニット１０の第２操作モード（小洗浄操作モード）により回転軸部材４２の突起部４２ｃが初期位置Ｐ０から第２回転方向Ｒ２に回転操作された場合には、第２プーリ５０の第２切欠き穴６４の第２係合回避領域Ａ２において、第２切欠き穴６４の第３切欠き側面６４ａと回転軸部材４２の突起部４２ｃの第２突起側面４２ｅとが互いに係合した状態が維持されるようになっている。
このとき、図７Ａ、図７Ｃ、図９Ａ、及び、図９Ｃに示すように、第１プーリ４８の第１切欠き穴６２の第１係合回避領域Ａ１において、第１切欠き穴６２の第１切欠き側面６２ａと回転軸部材４２の突起部４２ｃの第１突起側面４２ｄとの互いの係合が解除された状態となるようになっている。
【００４４】
つぎに、図７Ａ及び図７Ｂに示すように、第１プーリ４８及び第２プーリ５０は、それぞれの外周において、第１ワイヤ取付穴４８ａ（第１ワイヤ取付部）及び第２ワイヤ取付穴５０ａ（第２ワイヤ取付部）をそれぞれ備えている。各取付穴４８ａ，５０ａには、各電動ワイヤ５４，５６の一端である各取付用の突起５４ａ，５６ａが嵌合されて取り付けられるようになっている。
まず、図７Ａ及び図７Ｂに示すように、各プーリ４８，５０のワイヤ取付穴４８ａ，５０ａは、初期位置Ｐ０において、各プーリ４８，５０の回転中心軸線Ｏの方向に互いにほぼ並列して配置されている。
また、図７Ａ及び図７Ｂに示す立面視において、各電動ワイヤ５４，５６は、各プーリ４８，５０の回転中心軸線Ｏに対して一方側と他方側とに互いに対称に配置されている。
さらに、図７Ａに示すように、第１プーリ４８の第１ワイヤ取付穴４８ａ及び第１電動ワイヤ５４の突起５４ａは、初期位置Ｐ０において、第１電動ワイヤ５４が第１回転方向Ｒ１に第１プーリ４８の外周に沿って所定長さＬ０［ｍｍ］だけ予め巻き取られた位置に設定されている。
同様に、図７Ｂに示すように、第２プーリ５０の第２ワイヤ取付穴５０ａ及び第２電動ワイヤ５６の突起５６ａは、初期位置Ｐ０において、第２電動ワイヤ５６が第２回転方向Ｒ２に第２プーリ５０の外周に沿って所定長さＬ０［ｍｍ］だけ予め巻き取られた位置に設定されている。
【００４５】
つぎに、図４、図５、図７Ａ〜図７Ｃ、図８Ａ〜図８Ｃ、及び、図９Ａ〜図９Ｃに示すように、各プーリ４８，５０の内周側には、回転制限用のガイド溝４８ｂ，５０ｂのそれぞれが回転中心軸線Ｏを中心に部分円弧状に形成されている。
また、図５、図７Ａ〜図７Ｃ、図８Ａ〜図８Ｃ、及び、図９Ａ〜図９Ｃに示すように、電動操作ユニット１０のケーシング４６（第２ケーシング４６ｂ）の内部の側面には、回転制限用の突起６６が軸方向に延びるように形成されている。そして、この回転制限用の突起６６は、各プーリ４８，５０の回転制限用のガイド溝４８ｂ，５０ｂ内を軸方向に貫いている。
さらに、図７Ａ、図７Ｃ、図８Ａ、図８Ｃ、図９Ａ、及び、図９Ｃに示すように、第１プーリ４８のガイド溝４８ｂにおける周方向の一端及び他端は、電動操作ユニット１０の各洗浄操作モードに応じて、回転制限用の突起６６に係合可能な第１係合部４８ｃ及び第２係合部４８ｄとなっている。
ちなみに、第１プーリ４８は、初期位置Ｐ０において、ガイド溝４８ｂの第１係合部４８ｃが回転制限用の突起６６と係合するように設定され（図７Ａ、図７Ｃ参照）、第１最大回転位置Ｐ１において、ガイド溝４８ｂの第２係合部４８ｄが回転制限用の突起６６と係合するように設定されている（図８Ａ、図８Ｃ参照）。
【００４６】
同様に、図７Ｂ、図７Ｃ、図８Ｂ、図８Ｃ、図９Ｂ、及び、図９Ｃに示すように、第２プーリ５０のガイド溝５０ｂにおける周方向の一端及び他端は、電動操作ユニット１０の各洗浄操作モードに応じて、回転制限用の突起６６に係合可能な第３係合部５０ｃ及び第４係合部５０ｄとなっている。
ちなみに、第２プーリ５０は、初期位置Ｐ０において、ガイド溝５０ｂの第３係合部５０ｃが回転制限用の突起６６と係合するように設定され（図７Ｂ、図７Ｃ参照）、第２最大回転位置Ｐ２において、ガイド溝５０ｂの第４係合部５０ｄが回転制限用の突起６６と係合するように設定されている（図９Ｂ、図９Ｃ参照）。
これらにより、図７Ａ〜図７Ｃ、図８Ａ〜図８Ｃ、及び、図９Ａ〜図９Ｃに示すように、電動操作ユニット１０の大洗浄操作モードにおける第１プーリ４８の初期位置Ｐ０と第１最大回転位置Ｐ１との間の第１最大回転角度θ１の範囲が制限可能であると共に、電動操作ユニット１０の小洗浄操作モードにおける第２プーリ５０の初期位置Ｐ０と第２最大回転位置Ｐ２との間の第２最大回転角度θ２の範囲が制限可能となっている。
【００４７】
つぎに、図４、図７Ａ及び図７Ｂに示すように、第１プーリ４８の最大外径Ｄ１及び第２プーリ４５０の最大外径Ｄ２は、互いにほぼ同一の寸法に設定されており（Ｄ１＝Ｄ２）また、各最大外径Ｄ１，Ｄ２、電動回転軸４０ａの最大外径Ｄ３（図４参照）及び回転軸部材４２のベース部４２ａの最大外径Ｄ４（図４参照）よりも大きい寸法に設定されている（Ｄ１，Ｄ２＞Ｄ３，Ｄ４）。
したがって、図４、図７Ａ及び図７Ｂに示すように、第１プーリ４８の最大回転半径ｒ１（＝Ｄ１／２）及び第２プーリ５０の最大回転半径ｒ２（＝Ｄ２／２）は、互いにほぼ同一の寸法に設定されており（ｒ１＝ｒ２）、かつ、電動回転軸４０ａの最大回転半径ｒ３（＝Ｄ３／２）及び回転軸部材４２の突起部４２ｃの最大回転半径ｒ４よりも大きい寸法に設定されている（ｒ１，ｒ２＞ｒ３，ｒ４）。
【００４８】
すなわち、図３、図７Ａ、図７Ｃ、図８Ａ、及び、図８Ｃに示すように、第１プーリ４８は、電動操作ユニット１０の第１操作モード（大洗浄操作モード）において、排水弁装置１４の排水弁体１８が閉弁して最低位置となる初期位置（待機位置）Ｐ０と第１最大回転位置Ｐ１との間で、第２プーリ５０とは互いにほぼ同一の最大回転半径ｒ１（＝ｒ２）で第２プーリ５０に対して独立に回転可能となっている。ここで、第１プーリ４８の第１最大回転位置Ｐ１は、排水弁体１８が開弁して、大洗浄モードの最高開弁位置Ｐ１（第１最高位置）に相当している。
また、図３、図７Ｂ及び図８Ｂに示すように、第２プーリ５０は、電動操作ユニット１０の第２操作モード（小洗浄操作モード）において、初期位置（待機位置）Ｐ０と第２最大回転位置Ｐ２との間で、第１プーリ４８とは互いにほぼ同一の最大回転半径ｒ２（＝ｒ１）で第１プーリ４８に対して独立に回転可能となっている。ここで、第２プーリ５０の第２最大回転位置Ｐ２は、排水弁体１８が開弁して、大洗浄モードの最高開弁位置Ｐ１（第１最高位置）よりも低い小洗浄モードの最高開弁位置Ｐ２（第２最高位置）に相当している。
さらに、図７Ａ及び図８Ａに示すように、電動操作ユニット１０の第１操作モード（大洗浄操作モード）において、第１プーリ４８が回転軸部材４２と共に初期位置Ｐ０から第１回転方向Ｒ１に第１最大回転位置Ｐ１まで回転したときの第１最大回転角度θ１は、図７Ｂ及び図９Ｂに示すように、第２プーリ５０が初期位置Ｐ０から第２回転方向Ｒ２に第２最大回転位置Ｐ２まで回転したときの第２最大回転角度θ２よりも大きく設定されている（θ１＞θ２）。
ここで、第１最大回転角度θ１については、７５度〜１０５度に設定されることが好ましく、８５度〜９５度に設定されることがより好ましい。
また、第２最大回転角度θ２については、４５度〜７５度に設定されることが好ましく、５５度〜６５度に設定されることがより好ましい。
これらにより、図８Ａに示すように、電動操作ユニット１０の第１操作モード（大洗浄操作モード）において、第１電動ワイヤ５４のみが第１プーリ４８により巻き取られるときの第１電動ワイヤ５４の長さである第１巻取量Ｌ１（第１量）は、第２電動ワイヤ５６のみが第２プーリ５０により巻き取られる長さである第２巻取量Ｌ２（第２量）よりも大きく設定されている。
そして、第１洗浄モード（大洗浄モード）により洗浄水タンク装置４から水洗大便器２に供給される第１洗浄水量Ｗ１は、第２洗浄モード（小洗浄モード）により洗浄水タンク装置４から水洗大便器２に供給される第２洗浄水量Ｗ２よりも大きく設定されている（Ｗ１＞Ｗ２）。
【００４９】
つぎに、図４、図５、図７Ｃ、図７Ｄ、図８Ｃ、図８Ｄ、図９Ｃ、及び、図９Ｄに示すように、戻りばね５２は、第１プーリ４８及び第２プーリ５０に対して回転中心軸線Ｏとほぼ同一中心軸線上に設けられたねじりコイルばねであり。
また、図４、図５、図７Ｃ、図７Ｄ、図８Ｃ、図８Ｄ、図９Ｃ、及び、図９Ｄに示すように、戻りばね５２は、その一端及び他端のそれぞれから外側に延びる第１アーム部５２ａ及び第２アーム部５２ｂをそれぞれ備えている。
さらに、図５、図７Ｃ、図７Ｄ、図８Ｃ、図８Ｄ、図９Ｃ、及び、図９Ｄに示すように、第１アーム４８は、戻りばね５２の第１アーム部５２ａが取り付けられる第１アーム部取付用の突起４８ｅ（第１アーム取付部）を備えている。
同様に、図５、図７Ｃ、図７Ｄ、図８Ｃ、図８Ｄ、図９Ｃ、及び、図９Ｄに示すように、第２アーム５０は、戻りばね５２の第２アーム部５２ｂが取り付けられる第２アーム部取付用の突起５０ｅ（第２アーム取付部）を備えている。
【００５０】
図７Ａ、図７Ｃ、図７Ｄ、図８Ａ、図８Ｃ、及び、図８Ｄに示すように、電動操作ユニット１０の第１操作モード（大洗浄操作モード）の前半において、まず、第１プーリ４８が回転軸部材４２と共に初期位置Ｐ０から第１最大回転位置Ｐ１まで第１回転方向Ｒ１に回転している状態では、戻りばね５２の第１アーム部５２ａが、第１プーリ４８の第１回転方向の回転力Ｆ１よりも小さい第２回転方向Ｒ２の第１付勢力ｆ１（＜Ｆ１）を第１プーリ４８の第１アーム取付部４８ｅに作用するようになっている。これにより、電動操作ユニット１０の回転軸部材４２が、電動回転軸４０ａと共に初期位置Ｐ０から第１最大回転位置Ｐ１まで第１回転方向Ｒ１に電動回転するようになっている。
その後、図７Ａ、図７Ｃ，図７Ｄ、図８Ａ、図８Ｃ、及び、図８Ｄに示すように、電動操作ユニット１０の第１操作モード（大洗浄操作モード）の後半において、電動回転軸４０ａ及び回転軸部材４２が第１最大回転位置Ｐ１から第２回転方向Ｒ２に回転して初期位置（待機位置）Ｐ０に戻ると、第１最大回転位置Ｐ１の第１プーリ４８の第１回転方向の回転力Ｆ１が解放されるようになっている（Ｆ１＝０）。これにより、第１プーリ４８は、戻りばね５２の第１アーム部５２ａから第１プーリ４８の第１アーム取付部４８ｅに作用する第２回転方向Ｒ２の第１付勢力ｆ１により、第１最大回転位置Ｐ１から第２回転方向Ｒ２に初期位置（待機位置）Ｐ０まで回転するようになっている。
この結果、第１プーリ４８が第１操作モード（大洗浄操作モード）の開始前の初期位置（待機位置）Ｐ０に原点復帰し、第１操作モード（大洗浄操作モード）が完了するようになっている。
【００５１】
図７Ｂ〜図７Ｄ及び図９Ｂ〜図９Ｄに示すように、電動操作ユニット１０の第２操作モード（小洗浄操作モード）の前半において、まず、第２プーリ５０が回転軸部材４２と共に初期位置Ｐ０から第２最大回転位置Ｐ２まで第２回転方向Ｒ２に回転している状態では、戻りばね５２の第２アーム部５２ａが、第２プーリ５０の第２回転方向の回転力Ｆ２よりも小さい第１回転方向Ｒ１の第２付勢力ｆ２（＜Ｆ２）が第２プーリ５０の第１アーム取付部５０ｅに作用するようになっている。これにより、電動操作ユニット１０の回転軸部材４２が、電動回転軸４０ａと共に初期位置Ｐ０から第２最大回転位置Ｐ２まで第２回転方向Ｒ２に電動回転するようになっている。
その後、図７Ｂ〜図７Ｄ及び図９Ｂ〜図９Ｄに示すように、電動操作ユニット１０の第２操作モード（小洗浄操作モード）の後半において、電動回転軸４０ａ及び回転軸部材４２が第２最大回転位置Ｐ２から第１回転方向Ｒ１に回転して初期位置（待機位置）Ｐ０に戻ると、第２最大回転位置Ｐ２の第２プーリ５０の第２回転方向の回転力Ｆ２が解放されるようになっている（Ｆ２＝０）。これにより、第２プーリ５０は、戻りばね５２の第２アーム部５２ｂから第２プーリ５０の第２アーム取付部５０ｅに作用する第２回転方向Ｒ１の第２付勢力ｆ２により、第１最大回転位置Ｐ１から第１回転方向Ｒ１に初期位置（待機位置）Ｐ０まで回転するようになっている。
この結果、第２プーリ５０が第２操作モード（小洗浄操作モード）の開始前の初期位置（待機位置）Ｐ０に原点復帰し、第２操作モード（小洗浄操作モード）が完了するようになっている。
【００５２】
つぎに、図１０の（Ａ）は、本発明の第１実施形態による排水弁操作装置の電動操作ユニットにおける各洗浄操作モードが開始する前の初期状態（待機状態）の各電動ワイヤと排水弁装置の各ワイヤ取付部との連結状態を示す概略斜視図である。
また、図１０の（Ｂ）は、本発明の第１実施形態による排水弁操作装置の電動操作ユニットにおける大洗浄操作モードが完了した状態の各電動ワイヤと排水弁装置の各ワイヤ取付部との連結状態を示す概略斜視図である。
さらに、図１０の（Ｃ）は、本発明の第１実施形態による排水弁操作装置の電動操作ユニットにおける小洗浄操作モードが完了した状態の各電動ワイヤと排水弁装置の各ワイヤ取付部との連結状態を示す概略斜視図である。
【００５３】
まず、図１０の（Ａ）に示すように、大洗浄操作用の第１ワイヤ取付部１６ｂ及び小洗浄操作用の第２ワイヤ取付部１６ｃのそれぞれは、排水弁装置１４の主軸部材１６の上端部において手動操作用の取付部１６ａの前方に設けられており、各電動ワイヤ５４，５６の他端の突起５４ｂ，５６ｂが前後方向に取り外し可能な取付穴６８，７０となっている。
また、各ワイヤ取付部１６ｂ，１６ｃは、互いに水平左右方向に並列に一体的に設けられており、各取付穴６８，７０の上方には、縦穴７２，７４が上下方向に貫くように形成されている。
さらに、各縦穴７２，７４の大きさは、各電動ワイヤ５４，５６の大きさよりも大きく、かつ、各突起５４ｂ，５６ｂの大きさよりも小さく設定されている。これにより、各電動ワイヤ５４，５６は、各突起５４ｂ，５６ｂが各ワイヤ取付部１６ｂ，１６ｃに係合／係合解除可能に連結されている。
そして、例えば、図１０の（Ｂ）に示すように、電動操作ユニット１０が第１操作モード（大洗浄操作モード）で操作された場合には、第１電動ワイヤ５４のみが第１最高位置Ｐ０まで引き上げられ、第１電動ワイヤ５４の突起５４ｂのみが第１ワイヤ取付部１６ｂに下側から係合した状態で上方へ抜け出さない状態となる。これにより、両ワイヤ取付部１６ｂ，１６ｃが第１電動ワイヤ５４によって第１最高位置Ｐ１まで引き上げられるなっている。
このとき、図１０の（Ｂ）に示すように、第２電動ワイヤ５６は引き上げられずに初期位置Ｐ０に留まるため、第２ワイヤ取付部１６ｃは、第２電動ワイヤ５６に対して上方に摺動するようになっている。
一方、図１０の（Ｃ）に示すように、電動操作ユニット１０が第２操作モード（小洗浄操作モード）で操作された場合には、第２電動ワイヤ５６のみが、第１最高位置Ｐ１よりも低い小洗浄操作モードの第２最高位置Ｐ２まで引き上げられ、第２電動ワイヤ５６の突起５６ｂのみが第２ワイヤ取付部１６ｃに下側から係合した状態で上方へ抜け出さない状態となる。これにより、両ワイヤ取付部１６ｂ，１６ｃが第２電動ワイヤ５６によって第２最高位置Ｐ２まで引き上げられるなっている。
このとき、図１０の（Ｃ）に示すように、第１電動ワイヤ５６は引き上げられずに初期位置Ｐ０に留まるため、第１ワイヤ取付部１６ｃは、第１電動ワイヤ５４に対して上方に摺動するようになっている。
【００５４】
つぎに、図１〜図１０を参照して、本発明の第１実施形態による排水弁操作装置の動作（作用）について、排水弁装置の動作と合わせて説明する。
まず、本実施形態による排水弁操作装置１を用いて第１操作モード（大洗浄操作モード）により排水弁装置１４の開弁操作を行ったときの動作について説明する。
まず、図３に示すように、排水弁装置１４の排水弁体１８が排水口６ｂを閉止している待機状態Ｐ０から、本実施形態の排水弁操作装置１の電動操作ユニット１０の電動操作により排水弁体１８について、大洗浄モードで開弁操作する。
この際、例えば、使用者がリモコン（図示せず）等の指令装置Ｃ（図１参照）の所定の操作ボタン等を押すことにより大洗浄モードの便器洗浄操作を指示するか、或いは、人感センサＳ（図１参照）が使用者を検知すると、これらの信号が指令装置Ｃのコントローラ（図示せず）等に送信される。
そして、図７Ａ及び図８Ａに示すように、電動操作ユニット１０の電動回転軸４０ａが作動し、この電動回転軸４０ａと共に回転軸部材４２が初期位置（待機位置）Ｐ０から回転中心軸線Ｏを中心に第１回転方向Ｒ１に回転し、大洗浄モードの開弁操作が開始される。
【００５５】
より具体的には、図７Ａ及び図８Ａに示すように、電動操作ユニット１０の第１操作モード（大洗浄操作モード）において、アクチュエータ４０の電動回転軸４０ａ及び回転軸部材４２が初期位置Ｐ０から第１回転方向Ｒ１に第１最大回転位置Ｐ１まで回転操作され、図８Ａに示すように、第１プーリ４８の第１切欠き穴６２の第１切欠き側面６２ａが、回転軸部材４２の突起部４２ｃの第１突起側面４２ｄにより第１回転方向Ｒ１に係合された状態となるため、第１プーリ４８は第１回転方向Ｒ１に回転する。
これにより、図７Ａ及び図８Ａに示すように、第１プーリ４８が、第２プーリ５０とは独立に電動回転軸４０ａ及び回転軸部材４２と共に、初期位置Ｐ０から第１回転方向Ｒ１に第１最大回転位置Ｐ１まで第１最大回転角度θ１で回転する。
このとき、図８Ｂに示すように、第２プーリ５０の第２切欠き穴６４は、回転軸部材４２の突起部４２ｃの第２突起側面４２ｅとの回転方向の係合が解除されているため、第２プーリ５０は、第１プーリ４８の回転に関わらず、初期位置Ｐ０で静止した状態となる。
そして、図８Ａに示すように、大洗浄モード操作用の第１電動ワイヤ５４のみが第１プーリ４８により第１巻取量Ｌ１だけ巻き取られる。
これにより、図３及び図１０の（Ｂ）に示すように、排水弁装置１４の主軸部材１６及び排水弁体１８が第１電動ワイヤ５４により最大引き上げ量Ｈ１（＝Ｌ１）だけ引き上げられる。
そして、洗浄水タンク装置４から水洗大便器２に第１洗浄水量Ｗ１の洗浄水が供給されて第１洗浄モード（大洗浄モード）の便器洗浄が実行される。
【００５６】
つぎに、図７Ｂ及び図９Ｂに示すように、電動操作ユニット１０の第２操作モード（小洗浄操作モード）において、アクチュエータ４０の電動回転軸４０ａ及び回転軸部材４２が初期位置Ｐ０から第２回転方向Ｒ２に第２最大回転位置Ｐ２まで回転操作された場合には、図９Ｂに示すように、第２プーリ５０の第２切欠き穴６４の第３切欠き側面６４ａは、回転軸部材４２の突起部４２ｃの第２突起側面４２ｅにより第２回転方向Ｒ２に係合された状態となるため、第２プーリ５０は第２回転方向Ｒ２に回転する。
これにより、図７Ｂ及び図９Ｂに示すように、第２プーリ５０が、第１プーリ４８とは独立に電動回転軸４０ａ及び回転軸部材４２と共に、初期位置Ｐ０から第２回転方向Ｒ２に第２最大回転位置Ｐ２まで第２最大回転角度θ２で回転する。
このとき、図９Ａに示すように、第１プーリ４８の第１切欠き穴６２の第１切欠き側面６２ａが回転軸部材４２の突起部４２ｃの第１突起側面４２ｄに対して、回転方向の係合が解除された状態となるため、第１プーリ４８は、第２プーリ５０の回転に関わらず、初期位置Ｐ０で静止した状態となる。
そして、図９Ｂに示すように、小洗浄モード操作用の第２電動ワイヤ５６のみが第２プーリ５０により第２巻取量Ｌ２だけ巻き取られる。
これにより、図３及び図１０の（Ｃ）に示すように、排水弁装置１４の主軸部材１６及び排水弁体１８が第２電動ワイヤ５６により、大洗浄操作モードの最大引き上げ量Ｈ１よりも低い小洗浄操作モードの最大引き上げ量Ｈ２（＝Ｌ２＜Ｈ１＝Ｌ１）だけ引き上げられる。
そして、洗浄水タンク装置４から水洗大便器２に第１洗浄水量Ｗ２の洗浄水が供給されて第２洗浄モード（小洗浄モード）の便器洗浄が実行される。
【００５７】
上述した本発明の第１実施形態による排水弁操作装置１によれば、電動操作ユニット１０の各操作モードに応じて、第１プーリ４８又は第２プーリ５０のいずれか一方を独立に回転操作することができるため、第１プーリ４８及び第２プーリ５０のそれぞれが互いの干渉を抑制しながら、スムーズに作動することができる。
また、第１プーリ４８及び第２プーリ５０のそれぞれに連結されている第１電動ワイヤ５４及び第２電動ワイヤ５６のそれぞれについても、互いの干渉を抑制しながら、スムーズに作動することができる。
よって、電動操作ユニット１０による第１操作モード（大洗浄操作モード）及び第２操作モード（小洗浄操作モード）の異なる操作モードのそれぞれの切り替え操作について正確に且つスムーズに行うことができるため、各洗浄モードに応じた排水弁装置１４の排水弁体１８の開弁操作を正確に行うこともできる。
これらの結果、排水弁操作装置１の操作性を向上させることができ、第１操作モード（大洗浄操作モード）及び第２操作モード（小洗浄操作モード）の異なる洗浄モードのそれぞれの便器洗浄についても正確に実行することができる。
【００５８】
つぎに、本実施形態による排水弁操作装置１によれば、洗浄水量がそれぞれ異なる第１洗浄モード及び第２洗浄モードのそれぞれの便器洗浄を実行する際に、電動操作ユニット１０により各操作モードに応じて電動回転軸４０ａが電気的に回転操作される。
このとき、第１プーリ４８又は第２プーリ５０のいずれか一方が、電動回転軸４０ａ及び回転軸部材４２と共に、これらの回転半径ｒ３，ｒ４よりも大きい回転半径ｒ１，ｒ２で各洗浄モードに応じて異なる方向に独立に自動で回転することができる。
そして、図８Ａに示すように、電動操作ユニット１０が第１操作モード（大洗浄操作モード）により電動回転軸４０ａを回転操作した場合には、第１プーリ４８について、回転軸部材４２と共に第１回転方向Ｒ１に自動で第２プーリ５０とは独立に回転操作することができる。
したがって、第１電動ワイヤ５４のみについて、第１プーリ４８により第１巻取量Ｌ１だけ自動で巻き取ることができ、排水弁装置１４の排水弁体１８について、第１電動ワイヤ５４と共に比較的大きな引き上げ量Ｈ１（＝Ｌ１）で引き上げることができる。
同様に、図９Ｂに示すように、電動操作ユニット１０が第２操作モード（小洗浄操作モード）により電動回転軸４０ａを回転操作した場合には、第２プーリ５０について、回転軸部材４２と共に第２回転方向Ｒ２に自動で第１プーリ４８とは独立に回転操作することができる。
したがって、第２電動ワイヤ５６のみについて、第２プーリ５０により第２巻取量Ｌ２（＜Ｌ１）だけ自動で巻き取ることができ、排水弁装置１４を第２電動ワイヤ５６と共に比較的大きな引き上げ量Ｈ２（＜Ｈ１）で引き上げることができる。
【００５９】
つぎに、本実施形態による排水弁操作装置１によれば、まず、図８Ａに示すように、電動操作ユニット１０の第１操作モード（大洗浄操作モード）により電動回転軸４０ａ及び回転軸部材４２が第１回転方向Ｒ１に回転操作された場合には、第１プーリ４８の第１切欠き穴６２が、回転軸部材４２の突起部４２ｃにより回転方向に係合された状態で第１回転方向Ｒ１に回転する。
これにより、図７Ａ及び図８Ａに示すように、第１プーリ４８は、排水弁体１８が閉弁して最低位置Ｐ０（図３参照）となる初期位置Ｐ０から第１最大回転位置Ｐ１まで第１回転方向Ｒ１に第１最大回転角度θ１の範囲内で回転可能となり、第２プーリ５０とは独立に第２プーリ５０の回転半径ｒ２とほぼ同一の回転半径ｒ１（＝ｒ２）で回転する。このとき、図８Ｂに示すように、第２プーリ５０の第２切欠き穴６４は、回転軸部材４２の突起部４２ｃとの回転方向の係合が解除された状態であるため、第２プーリ５０は、第１プーリ４８の回転に関わらず静止した状態となる。
これにより、図８Ａに示すように、第２電動ワイヤ５６が第１電動ワイヤ５４に干渉することなく、第１電動ワイヤ５４のみが第１プーリ４８により第１巻取量Ｌ１（＞Ｌ２）だけ効率良く巻き取ることができる。この結果、図３に示すように、排水弁体１８を第１引き上げ量Ｈ１（＝Ｌ１＞Ｈ２＝Ｌ２）で効率良く引き上げることができる。
【００６０】
一方、図９Ｂに示すように、電動操作ユニｔｔ１０の第２操作モード（小洗浄モード）により電動回転軸４０ａ及び回転軸部材４２が第２回転方向Ｒ２に回転操作された場合には、第２プーリ５０の第２切欠き穴６４が、回転軸部材４２の突起部４２ｃにより回転方向に係合された状態で第２回転方向Ｒ２に回転する。
これにより、図７Ｂ及び図９Ｂに示すように、第２プーリ５０は、排水弁体１８が閉弁して最低位置Ｐ０（図３参照）となる初期位置Ｐ０から第２最大回転位置Ｐ２まで第２回転方向Ｒ２に第２最大回転角度θ２の範囲内で回転可能となり、第１プーリ４８とは独立に第１プーリ４８の回転半径ｒ１とほぼ同一の回転半径ｒ２（＝ｒ１）で回転する。このとき、図９Ｂに示すように、第１プーリ４８の第１切欠き穴６２は、回転軸部材４２の突起部４２ｃとの回転方向の係合が解除された状態であるため、第１プーリ４８は、第２プーリ５０の回転に関わらず静止した状態となる。
これにより、図９Ｂに示すように、第１電動ワイヤ５４が第２電動ワイヤ５６に干渉することなく、第２電動ワイヤ５６のみが第２プーリ５０により第２巻取量Ｌ２（＜Ｌ１）だけ効率良く巻き取ることができる。この結果、図３に示すように、排水弁体１８を第２引き上げ量Ｈ２（＝Ｌ２＜Ｈ１＝Ｌ１）で効率良く引き上げることができる。
したがって、電動操作ユニット１０の各操作モードに応じて、第１プーリ４８又は第２プーリ５０のいずれか一方を互いにほぼ同一の回転半径ｒ１，ｒ２で独立に回転操作することができると共に、第１プーリ４８の第１最大回転角度θ１を第２プーリ５０の第２最大回転角度θ２よりも大きく設定することにより（θ１＞θ２）、第１プーリ４８及び第２プーリ５０のそれぞれを簡易な構造にすることができる。
よって、第１プーリ４８及び第２プーリ５０のそれぞれが互いの干渉を抑制しながら、スムーズに作動することができる。
また、第１プーリ４８及び第２プーリ５０のそれぞれに連結されている第１電動ワイヤ５４及び第２電動ワイヤ５６のそれぞれについても、互いの干渉を抑制しながら、スムーズに作動することができる。
よって、電動操作ユニット１０による第１操作モード（大洗浄操作モード）及び第２操作モード（小洗浄操作モード）の異なる操作モードのそれぞれの切り替え操作について正確に且つスムーズに行うことができるため、各洗浄モードに応じた排水弁体１８の開弁操作を正確に行うこともできる。
【００６１】
つぎに、本実施形態による排水弁操作装置１によれば、図７Ａ、図８Ａ、図８Ｃ、及び、図８Ｄに示すように、第１操作モード（大洗浄操作モード）において、戻りばね５２の第１アーム部５２ａが、第１最大回転位置Ｐ１の第１プーリ４８の第１アーム部取付用の突起４８ｅを第２回転方向Ｒ２に第１付勢力ｆ１で付勢することにより、第１プーリ４８を初期位置Ｐ０に確実に且つ速やかに復帰させることができる。
同様に、図７Ｂ及び図９Ｂ〜図９Ｄに示すように、第２操作モードにおいて、戻りばね５２の第２アーム部５２ｂが、第２最大回転位置Ｐ２の第２プーリ５０の第２アーム部取付用の突起５０ｅを第１回転方向Ｒ１に第２付勢力ｆ２で付勢することにより、第２プーリ５０を初期位置Ｐ０に確実に且つ速やかに復帰させることができる。
したがって、第１操作モード（大洗浄操作モード）の終了後の第１プーリ４８や第２操作モード（小洗浄操作モード）の終了後の第２プーリ５０について、次回の便器洗浄操作（排水弁装置１４の開弁操作）に備えて、初期位置Ｐ０まで確実に且つ速やかに復帰させることができる。よって、次回の各洗浄モードに応じた第１プーリ４８や第２プーリ５０に関する回転操作についても正確に行うことができる。
【００６２】
つぎに、本実施形態による排水弁操作装置１によれば、第１プーリ４８の第１切欠き穴６２及び第２プーリ５０の第２切欠き穴６４が、それぞれの回転の中心部（回転中心軸線Ｏ）付近に回転軸部材４２の突起部４２ｃが軸方向に挿入可能に形成されている。
さらに、図７Ａ、図７Ｂ、図８Ａ、図８Ｂ、図９Ａ、及び、図９Ｂに示すように、第１プーリ４８の第１切欠き穴６２及び第２プーリ５０の第２切欠き穴６４のそれぞれが、回転軸部材４２の回転方向に応じて回転軸部材４２の突起部４２ｃとの係合を回避可能にする第１係合回避領域Ａ１及び第２係合回避領域Ａ２をそれぞれ備えている。
これらにより、例えば、図９Ａに示すように、電動操作ユニット１０の回転軸部材４２が初期位置Ｐ０と第２最大回転位置Ｐ２との間に位置しているときには、第１プーリ４８の第１切欠き穴６２の第１係合回避領域Ａ１により、回転軸部材４２の突起部４２ｃの第２突起側面４２ｅと第１プーリ４８の第１切欠き穴６２の第２切欠き側面６２ｂとの係合を簡易な構造で回避することができる。
一方、図８Ｂに示すように、電動操作ユニット１０の回転軸部材４２が初期位置Ｐ０と第１最大回転位置Ｐ１との間に位置しているときには、第２プーリ５０の第２切欠き６４の第２係合回避領域Ａ２により、回転軸部材４２の突起部４２ｃの第１突起側面４２ｄと第２プーリ５０の第２切欠き穴６４の第４切欠き側面６４ｂとの係合を簡易な構造で回避することができる。
【００６３】
また、本実施形態による排水弁操作装置１によれば、まず、図８Ａに示すように、電動操作ユニット１０の第１操作モード（大洗浄操作モード）により回転軸部材４２の突起部４２ｃが初期位置Ｐ０から第１回転方向Ｒ１に回転操作された場合には、第１プーリ４８の第１係合回避領域Ａ１において、第１プーリ４８の第１切欠き穴６２の第１切欠き側面６２ａと回転軸部材４２の突起部４２ｃの第１突起側面４２ｄとが互いに係合した状態が維持される。
このとき、図８Ｂに示すように、第２プーリ５０の第２係合回避領域Ａ２においては、第２プーリ５０の第２切欠き穴６４の第３切欠き側面６４ａと回転軸部材４２の突起部４２ｃの第２突起側面４２ｅとの互いの係合が解除された状態となる。
一方、図９Ｂに示すように、電動操作ユニット１０の第２操作モード（小洗浄モード）により回転軸部材４２の突起部４２ｃが初期位置Ｐ０から第２回転方向Ｒ２に回転操作された場合には、第２プーリ５０の第２係合回避領域Ａ２において、第２プーリ５０の第２切欠き穴６４の第３切欠き側面６４ａと回転軸部材４２の突起部４２ｃの第２突起側面４２ｅとが互いに係合した状態が維持される。
このとき、図９Ａに示すように、第１プーリ４８の第１係合回避領域Ａ１においては、第１プーリ４８の第１切欠き穴６２の第１切欠き側面６２ａと回転軸部材４２の突起部４２ｃの第１突起側面４２ｄとの互いの係合が解除された状態となる。
これらの結果、電動操作部の各操作モードにおいて、第１プーリ４８及び第２プーリ５０の互いの干渉を抑制しながら、各操作モードに応じて第１プーリ４８又は第２プーリ５０のいずれか一方について、回転軸部材４２の突起部４２ｃと共に効率良く独立に回転操作することができる。
したがって、電動操作ユニット１０の各操作モードにおいて、第１プーリ４８又は第２プーリ５０のいずれか一方のプーリが、他方のプーリに対する干渉を抑制しながら、独立にスムーズに作動することができる。よって、各操作モードに応じた排水弁操作装置１の電動操作ユニット１０の電動による操作性を向上させることができる。
【００６４】
つぎに、本実施形態による排水弁操作装置１によれば、図７Ａ及び図７Ｂに示すように、第１プーリ４８の第１ワイヤ取付穴４８ａ及び第２プーリ５０の第２ワイヤ取付穴５０ａが、図７Ａ及び図７Ｂに示すように、第１プーリ４８及び第２プーリ５０のそれぞれの回転中心軸線Ｏの方向にほぼ並列して配置されている。
また、図７Ａ及び図７Ｂに示すように、第１電動ワイヤ５４及び第２電動ワイヤ５６が、立面視において第１プーリ４８及び第２プーリ５０の回転中心軸線Ｏに対して一方側と他方側とに互いに対称に配置されている。
さらに、図７Ａ及び図７Ｂに示すように、第１プーリ４８の第１ワイヤ取付穴４８ａ及び第１電動ワイヤ５４の突起５４ａは、初期位置Ｐ０において、第１電動ワイヤ５４が第１回転方向Ｒ１に第１電動ワイヤ５４の外周に沿って所定長さＬ０だけ予め巻き取られた位置に設定されている。
同時に、第２プーリ５０の第２ワイヤ取付穴５０ａ及び第２電動ワイヤ５６の突起５６ａは、第２電動ワイヤ５６が第２回転方向Ｒ２に第２プーリ５０の外周に沿って所定長さＬ０だけ予め巻き取られた位置に設定されている。
これらにより、各洗浄モードに応じて第１回転巻取部材又は第２回転巻取部材のいずれか一方が独立に回転した際にも、第１プーリ４８又は第２プーリ５０のいずれか一方のプーリが他方のプーリに干渉することなく、確実に且つスムーズに移動することができる。
【００６５】
つぎに、本実施形態による排水弁操作装置１によれば、図７Ａ、図７Ｂ、図８Ａ、図８Ｂ、図９Ａ、及び、図９Ｂに示すように、第１プーリ４８及び第２プーリ５０を回転可能に保持するケーシング４６が回転制限用の突起６６を備えている。
したがって、図７Ａに示すように、第１プーリ４８が初期位置Ｐ０にあるときには、第１プーリ４８のガイド溝４８ｂの第１係合部４８ｃがケーシング４６の回転制限用の突起６６と係合することができる。
一方、図８Ａに示すように、第１プーリ４８が第１最大回転位置Ｐ１にあるときには、第１プーリ４８のガイド溝４８ｂの第２係合部４８ｄがケーシング４６の回転制限用の突起６６と係合することができる。
さらに、図７Ｂに示すように、第２プーリ５０が初期位置Ｐ０にあるときには、第２プーリ５０のガイド溝５０ｂの第３係合部５０ｃがケーシング４６の回転制限用の突起６６と係合することができる。
一方、図９Ｂに示すように、第２プーリ５０が第２最大回転位置Ｐ２にあるときには、第２プーリ５０のガイド溝５０ｂの第４係合部５０ｄがケーシング４６の回転制限用の突起６６と係合することができる。
したがって、第１プーリ４８の初期位置Ｐ０と第１最大回転位置Ｐ１との間の第１最大回転角度θ１の範囲を確実に制限することができると共に、第２プーリ５０の初期位置Ｐ０と第２最大回転位置Ｐ２との間の第２最大回転角度θ２の範囲を確実に制限することができる。
よって、各洗浄モードに応じた第１プーリ４８又は第２プーリ５０のいずれか一方の回転動作をより正確に行うことができる。
これらの結果、各洗浄モードに応じた第１プーリ４８又は第２プーリ５０のいずれか一方のプーリの回転動作を正確に行うことができる。
よって、各洗浄モードに応じた開弁操作時の排水弁体１８の引き上げ量Ｈ１，Ｈ２を正確に管理することができる。
【００６６】
つぎに、本実施形態による排水弁操作装置１によれば、まず、図８Ａに示すように、電動操作ユニット１０の第１操作モード（大洗浄操作モード）により回転軸部材４２の突起部４２ｃ及び第１プーリ４８が、初期位置Ｐ０から第１回転方向Ｒ１に回転操作されると、図１０の（Ｂ）に示すように、第１電動ワイヤ５４のみが、第１プーリ４８により第１巻取量Ｌ１だけ巻き取られるため、排水弁装置１４の主軸部材１６の第１ワイヤ取付部１６ｂが、第１電動ワイヤ５４の一端の突起５４ｂにより係合された状態で第１最大引き上げ量Ｈ１だけ引き上げられる。
このとき、図８Ｂに示すように、第２プーリ５０は静止しており、第２電動ワイヤ５６については巻き取られていない。
よって、図１０の（Ｂ）に示すように、排水弁装置１４の主軸部材１６の第２ワイヤ取付部１６ｃは、第２電動ワイヤ５６の一端の突起５６ｂとの係合が解除された状態で、排水弁装置１４の第１ワイヤ取付部１６ｂ及び第１電動ワイヤ５４と共に引き上げられて、第２電動ワイヤ５６の一端の突起５６ｂに対して上方に摺動移動する。
一方、図９Ｂに示すように、電動操作ユニット１０の第２操作モード（小洗浄モード）により回転軸部材４２及び第２プーリ５０が、初期位置Ｐ０から第２回転方向Ｒ２に回転操作されると、図１０の（Ｃ）に示すように、第２電動ワイヤ５６のみが第２プーリ５０により第２巻取量Ｌ２だけ巻き取られるため、排水弁装置１４の第２ワイヤ取付部１６ｃは、第２電動ワイヤ５６の一端の突起５６ｂにより係合された状態で引き上げられる。
このとき、図９Ａに示すように、第１プーリ４８は静止しており、第１電動ワイヤ５４については巻き取られていない。
よって、図１０の（Ｃ）に示すように、排水弁装置１４の主軸部材１６の第１ワイヤ取付部１６ｂは、第１電動ワイヤ５４の一端の突起５４ｂとの係合が解除された状態で、排水弁装置１４の第２ワイヤ取付部１６ｃ及び第２電動ワイヤ５６と共に引き上げられて、第１電動ワイヤ５４の一端の突起５４ｂに対して上方に摺動移動する。
これらの結果、各洗浄モードに応じた排水弁装置１４の排水弁体１８の開弁操作中において、第１電動ワイヤ５４と第２電動ワイヤ５６とが互いに干渉し合うことを抑制することができる。また、第１電動ワイヤ５４及び第２電動ワイヤ５６と、その周辺の排水弁装置１４の内部部品等の関連構造部分とが互いに干渉し合うことを抑制することもできる。
したがって、各洗浄モードに応じた排水弁装置１４の開弁操作を正確に行うことができ、洗浄水タンク装置４の貯水タンク６から第１洗浄モード（大洗浄モード）及び第２洗浄モード（小洗浄モード）の異なる洗浄モードに応じた洗浄水量Ｗ１，Ｗ２を水洗大便器２に正確に供給することができる。
【００６７】
さらに、本実施形態による排水弁操作装置１によれば、排水弁装置１４の排水弁体１８の開弁操作について、電動操作ユニット１０による電動操作で行うことができることに加えて、手動操作ユニット８の操作ボタン３０，３２による手動の押圧操作でも行うこともできる。
したがって、便器洗浄を実行する際に、使用者の好みに応じて、電動操作ユニット１０による電動操作と手動操作ユニット８による手動の押圧操作とを適宜使い分けることができる。
また、万一、電動操作ユニット１０においてメンテナンスや不具合が発生したり、停電等のトラブルが発生したりした場合であっても、手動操作ユニット８の手動操作により排水弁装置１４の排水弁体１８の開弁操作を確実に行うことができる。
【００６８】
つぎに、図１１を参照して、本発明の第１実施形態による排水弁操作装置について説明する。
図１１は、本発明の第２実施形態による排水弁操作装置が適用された洗浄水タンク装置の内部構造を前方斜め上方から見た概略斜視図である。
ここで、図１１に示す本発明の第２実施形態による排水弁操作装置１００が適用された洗浄水タンク装置１０４において、図２に示す本発明の第１実施形態による排水弁操作装置１が適用される洗浄水タンク４と同一部分については同一の符号を付し、これらの説明については省略する。
【００６９】
図１１に示すように、本発明の第２実施形態による排水弁操作装置１００においては、図２に示す手動操作ユニット８を備えていない点で、本発明の第１実施形態による排水弁操作装置１の構造と相違し、その他の部分は共通している。
このような本実施形態による排水弁操作装置１００によれば、手動操作ユニット８を省略した分だけ、洗浄水タンク装置１０４内の電動操作ユニット１０や排水弁装置１４の周辺スペース等を抑制することができるため、洗浄水タンク装置１０４の内部構造を簡易化することができる。
したがって、電動操作ユニット１０や排水弁装置１４のメンテナンス性を向上させることができる。
【００７０】
つぎに、図１２を参照して、本発明の第３実施形態による排水弁操作装置について説明する。
図１２は、本発明の第３実施形態による排水弁操作装置が適用された洗浄水タンク装置の内部構造を前方斜め上方から見た概略斜視図である。
ここで、図１２に示す本発明の第３実施形態による排水弁操作装置２００が適用された洗浄水タンク装置２０４において、図２に示す本発明の第１実施形態による排水弁操作装置１が適用される洗浄水タンク４と同一部分については同一の符号を付し、これらの説明については省略する。
【００７１】
図１２に示すように、本発明の第３実施形態による排水弁操作装置２００においては、図２に示す本発明の第１実施形態による排水弁操作装置１の操作ボタン式の手動操作ユニット８とは異なる、いわゆる、「操作レバー式」の手動操作ユニット２０８を備えている点で、本発明の第１実施形態による排水弁操作装置１の構造と相違している。
また、図１２に示すように、本実施形態による排水弁操作装置２００の手動操作ユニット２０８は、操作レバー２３０、ケーシング４６、大洗浄モード操作用の第１手動ワイヤ２５４、及び、小洗浄モード操作用の第２手動ワイヤ２５６を備えている。
さらに、図１２に示すように、手動操作ユニット２０８の操作レバー２３０は、貯水タンク６の前方から見て左側面の外側に配置されている。
【００７２】
また、図１２に示すように、手動操作ユニット２０８のケーシング４６は、その内部構造が本発明の第１実施形態による排水弁操作装置１の電動操作ユニット１０のケーシング４６と同様な構造となっており、第１プーリ４８、第２プーリ５０、及び、戻りばね５２等が内蔵されている。
そして、図１２に示すように、手動操作ユニット２０８の大洗浄モード操作用の第１手動ワイヤ２５４及び小洗浄モード操作用の第２手動ワイヤ２５６のそれぞれの一端には、上述した第１電動ワイヤ５４の取付用の突起５４ａ及び第２電動ワイヤ５６の取付用の突起５６ａと同様な突起（図示せず）がそれぞれ設けられている。これらの各手動ワイヤ２５４，２５６の一端側の各取付用の突起（図示せず）は、手動操作ユニット２０８のケーシング４６内の第１プーリ４８及び第２プーリ５０のそれぞれのワイヤ取付穴４８ａ，５０ａに連結されている。
同様に、図１２に示すように、手動操作ユニット２０８の第１手動ワイヤ２５４及び第２手ワイヤ２５６のそれぞれの他端には、上述した第１電動ワイヤ５４の取付用の突起５４ｂ及び第２電動ワイヤ５６の取付用の突起５６ｂと同様な突起（図示せず）がそれぞれ設けられている。これらの各手動ワイヤ２５４，２５６の他端側の各取付用の突起（図示せず）は、排水弁装置２１４の内部において、第１実施形態の排水弁装置１４の主軸部材１６の各ワイヤ取付部１６ｂ，１６ｃと同様な各手動ワイヤ取付部（図示せず）にそれぞれ連結されている。
【００７３】
一方、電動操作ユニット１０の各電動ワイヤ５４，５６の他端側の突起５４ｂ，５６ｂについても、排水弁装置２１４の内部において、第１実施形態の排水弁装置１４の主軸部材１６の各ワイヤ取付部１６ｂ，１６ｃと同様な各電動ワイヤ取付部（図示せず）にそれぞれ連結されている。ここで、各手動ワイヤ取付部（図示せず）及び各電動ワイヤ取付部（図示せず）は、互いに異なる箇所に設けられている。
また、各手動ワイヤ２５４，２５６及び各電動ワイヤ５４，５６のいずれか一本が引き上げられると、各手動ワイヤ取付部（図示せず）及び各電動ワイヤ取付部（図示せず）が一体的に引き上げられて、排水弁装置２１４の主軸部材１６及び排水弁体１８についても引き上げられるようになっている。
【００７４】
図１２に示すように、例えば、操作レバー２３０については、第１実施形態の回転軸部材４２と同様な回転軸部材（図示せず）に接続された回転軸（図示せず）の一端に接続されている。
また、本実施形態では、手動操作ユニット２０８の各プーリ４８，５０は、第１実施形態と同様に、各切欠き穴６２，６４において、回転軸部材４２の突起部４２ｃと係合解除可能に係合されている。
例えば、図１２に示すように、操作レバー２３０について、その先端が下方に位置する初期位置Ｐ０から操作レバー２３０の先端が前方に位置するように、手前側（前方側）に手動で回転中心軸線Ｏを中心に第１回転方向Ｒ１に回転操作する。これにより、手動操作ユニット２０８のケーシング４６内において回転軸部材４２の突起部４２ｃと第１プーリ４８の切欠き穴６２とが係合し、第１プーリ４８のみが回転するようになっている。
そして、第１手動ワイヤ２５４のみについて、第１プーリ４８により第１量Ｌ１だけ巻き取られ、大洗浄モード操作用の第１手動ワイヤ２５４が引き上げられて、排水弁装置２１４の排水弁体１８が閉弁位置（初期位置）Ｐ０から大洗浄モードの最高開弁位置Ｐ１まで最大引き上げ量Ｈ１［ｍｍ］だけ引き上げられるようになっている。
一方、図１２に示すように、操作レバー２３０について、その先端が下方に位置する初期位置から操作レバー２３０の先端が後方に位置するように奥側（後方側）に手動で回転中心軸線Ｏを中心に第２回転方向Ｒ２に回転操作する。これにより、手動操作ユニット２０８のケーシング４６内において回転軸部材４２の突起部４２ｃと第２プーリ５０の切欠き穴６４とが係合し、第２プーリ５０のみが回転するようになっている。
そして、小洗浄モード操作用の第２手動ワイヤ２５６が引き上げられて、排水弁装置２１４の排水弁体１８が閉弁位置Ｐ０から小洗浄モードの最高開弁位置Ｐ２まで、大洗浄モードの操作時の引き上げ量Ｈ１［ｍｍ］よりも小さい最大引き上げ量Ｈ２［ｍｍ］（Ｈ２＜Ｈ１）で引き上げられるようになっている。
【００７５】
上述した本発明の第３実施形態による排水弁操作装置２００によれば、手動操作ユニット２０８の各操作モードに応じて、手動操作ユニット２０８のケーシング４６内の第１プーリ４８又は第２プーリ５０のいずれか一方を独立に回転操作することができる。
したがって、第１プーリ４８及び第２プーリ５０のそれぞれが互いの干渉を抑制しながら、スムーズに作動することができる。
また、第１プーリ４８及び第２プーリ５０のそれぞれに連結されている第１手動ワイヤ２５４及び第２手動ワイヤ２５６のそれぞれについても、互いの干渉を抑制しながら、スムーズに作動することができる。
よって、手動操作ユニット２０８による大洗浄操作モード及び小洗浄操作モードの異なる操作モードのそれぞれの切り替え操作について正確に且つスムーズに行うことができるため、各洗浄モードに応じた排水弁装置２１４の排水弁体１８の開弁操作を正確に行うこともできる。
これらの結果、排水弁体１８の開弁操作する排水弁操作装置２００の手動操作ユニット２０８の手動による操作性を向上させることができ、複数の洗浄モードに応じた便器洗浄を正確に実行することができる。
また、排水弁装置１４の排水弁体１８の開弁操作について、電動操作ユニット１０による電動操作で行うことができることに加えて、手動操作ユニット２０８の操作レバー２３０による手動操作でも行うこともできる。
したがって、便器洗浄を実行する際に、使用者の好みに応じて、電動操作ユニット１０による電動操作と手動操作ユニット２０８による手動操作とを適宜使い分けることができる。
また、万一、電動操作ユニット１０においてメンテナンスや不具合が発生したり、停電等のトラブルが発生したりした場合であっても、手動操作ユニット２０８の手動操作により排水弁装置２１４の排水弁体１８の開弁操作を確実に行うことができる。
【００７６】
つぎに、図１３を参照して、本発明の第４実施形態による排水弁操作装置について説明する。
図１３は、本発明の第４実施形態による排水弁操作装置が適用された洗浄水タンク装置の内部構造を前方斜め上方から見た概略斜視図である。
ここで、図１３に示す本発明の第４実施形態による排水弁操作装置３００が適用された洗浄水タンク装置３０４において、図１２に示す本発明の第３実施形態による排水弁操作装置２００が適用される洗浄水タンク４と同一部分については同一の符号を付し、これらの説明については省略する。
【００７７】
図１３に示すように、本発明の第３実施形態による排水弁操作装置３００においては、図１２に示す電動操作ユニット１０を備えていない点で、本発明の第３実施形態による排水弁操作装置２００の構造と相違し、その他の部分は共通している。
このような本実施形態による排水弁操作装置３００によれば、電動操作ユニット１０を省略した分だけ、排水弁装置２１４の周辺スペース等の洗浄水タンク装置３０４の内部スペースを抑制することができるため、洗浄水タンク装置３０４の内部構造を簡易化することができる。
したがって、手動操作ユニット２０８や排水弁装置２１４のメンテナンス性を向上させることができる。
【００７８】
なお、上述した本発明の第１及び第２実施形態による排水弁操作装置１，１００においては、電動操作ユニット１０の２本の大洗浄モード操作用の電動ワイヤ５４と小洗浄モード操作用の電動ワイヤ５６を用いて、大小の２種類の洗浄モードによる便器洗浄が可能な形態について説明した。
また、上述した本発明の第３実施形態による排水弁操作装置２００においては、電動操作ユニット１０の２本の大洗浄モード操作用の電動ワイヤ５４と小洗浄モード操作用の電動ワイヤ５６、及び、手動操作ユニット２０８の２本の大洗浄モード操作用の手動ワイヤ２５４と小洗浄モード操作用の手動ワイヤ２５６を用いて、大小の２種類の洗浄モードによる便器洗浄が可能な形態について説明した。
さらに、上述した本発明の第４実施形態による排水弁操作装置３００においては、手動操作ユニット２０８の２本の大洗浄モード操作用の手動ワイヤ２５４と小洗浄モード操作用の手動ワイヤ２５６を用いて、大小の２種類の洗浄モードによる便器洗浄が可能な形態について説明した。
しかしながら、本発明の第１〜第３実施形態による排水弁操作装置１，１００，２００の電動操作ユニット１０の２本の電動ワイヤ５４，５６や、本発明の第３及び第４実施形態による排水弁操作装置２００，３００の手動操作ユニット２０８の２本の手動ワイヤ２５４，２５６を変更することなく、排水弁装置１４，２１４の構造のみを適宜変更することにより、例えば、大中小の３種類の洗浄モード、或いは、４種類以上の洗浄モードによる便器洗浄を可能にすることができる。
【００７９】
さらに、上述した本発明の第１〜第４実施形態による排水弁操作装置１，１００，２００，３００においては、各プーリ４８，５０の回転角度を制限する手段として、第２ケーシング４６ｂの回転制限用の突起６６を雄側とし、各プーリ４８，５０の回転制限用のガイド溝４８ｂ，５０ｂを雌側とする形態について説明したが、雄側と雌側とを互いに入れ替えてもよい。
【符号の説明】
【００８０】
１    本発明の第１実施形態による排水弁操作装置
２    水洗大便器
２ａ  便器本体
２ｂ  ボウル
４    洗浄水タンク装置
６    貯水タンク
６ａ  タンク蓋
６ｂ  排水口
８    手動操作ユニット（操作部、手動操作部）
１０    電動操作ユニット（操作部、電動操作部）
１２    給水弁装置
１２ａ  給水バルブ
１２ｂ  フロート
１４    排水弁装置
１６    主軸部材
１６ａ  手動操作用の取付部
１６ｂ  大洗浄操作用の第１ワイヤ取付部（排水弁の第１連結部）
１６ｃ  小洗浄操作用の第２ワイヤ取付部（排水弁の第２連結部）
１８    排水弁体（排水弁）
２０    下側リンク部材
２２    上側リンク部材
２４    大洗浄モード用の受圧部材
２６    小洗浄モード用の受圧部材
２８    排水弁装置のケーシング
２８ａ  保護チューブ取付部
２８ｂ  保護チューブ取付部
３０    大洗浄モード用の操作ボタン（手動操作部）
３２    小洗浄モード用の操作ボタン（手動操作部）
３４    大洗浄モード用の操作バー
３６    小洗浄モード用の操作バー
３８    ホルダ
４０    アクチュエータ
４０ａ  電動回転軸
４２    回転軸部材（回転軸）
４２ａ  ベース部
４２ｂ  回転軸本体部
４２ｃ  突起部
４２ｄ  第１突起側面
４２ｅ  第２突起側面
４４    留め具
４６    ケーシング（保持部）
４６ａ  第１ケーシング
４６ｂ  第２ケーシング
４６ｃ  保護チューブ取付部
４６ｄ  保護チューブ取付部
４８    大洗浄モード操作用の第１プーリ（第１回転巻取部材）
４８ａ  第１ワイヤ取付穴（第１連結部材の一端の第１取付部）
４８ｂ  ガイド溝
４８ｃ  ガイド溝の第１係合部
４８ｄ  ガイド溝の第２係合部
４８ｅ  第１アーム部取付用の突起（第１アーム取付部）
５０    小洗浄モード操作用の第２プーリ（第１回転巻取部材）
５０ａ  第２ワイヤ取付穴（第２連結部材の一端の第２取付部）
５０ｂ  ガイド溝
５０ｃ  ガイド溝の第３係合部
５０ｄ  ガイド溝の第４係合部
５０ｅ  第２アーム部取付用の突起（第１アーム取付部）
５２    戻りばね（付勢部材、ねじりコイルばね）
５２ａ  第１アーム部
５２ｂ  第２アーム部
５４    大洗浄モード操作用の第１電動ワイヤ（第１連結部材）
５４ａ  取付用の突起（第１連結部材の他端）
５４ｂ  取付用の突起（第１連結部材の一端）
５６    小洗浄モード操作用の第２電動ワイヤ（第２連結部材）
５６ａ  取付用の突起（第１連結部材の他端）
５６ｂ  取付用の突起（第１連結部材の一端）
５８    保護チューブ
６０    保護チューブ
６２    第１切欠き穴（第１切欠き部）
６２ａ  第１切欠き側面
６２ｂ  第２切欠き側面
６４    第２切欠き穴（第２切欠き部）
６４ａ  第３切欠き側面
６４ｂ  第４切欠き側面
６６    回転制限用の突起（保持部）
６８    取付穴（排水弁の第１連結部）
７０    取付穴（排水弁の第２連結部）
７２    縦穴（排水弁の第１連結部）
７４    縦穴（排水弁の第２連結部）
１００    本発明の第２実施形態による排水弁操作装置
１０４    洗浄水タンク装置
２００    本発明の第３実施形態による排水弁操作装置
２０４    洗浄水タンク装置
２０８    手動操作ユニット（操作部、手動操作部）
２１４    排水弁装置
２３０    操作レバー（操作部、手動操作部、操作部材）
２５４    大洗浄モード操作用の第１手動ワイヤ（第１連結部材）
２５６    小洗浄モード操作用の第２手動ワイヤ（第２連結部材）
３００    本発明の第４実施形態による排水弁操作装置
３０４    洗浄水タンク装置
Ａ１  第１係合回避領域
Ａ２  第２係合回避領
Ｃ    指示装置
Ｄ１  第１プーリの最大外径
Ｄ２  第２プーリの最大外径
Ｄ３  電動回転軸の最大外径
Ｄ４  回転軸部材のベース部の最大外径
Ｆ１  第１回転力
Ｆ２  第２回転力
ｆ１  第１付勢力
ｆ２  第２付勢力
Ｈ１  大洗浄モード操作時の最大引き上げ量
Ｈ２  小洗浄モード操作時の最大引き上げ量
Ｌ０  予め巻き取られる第１ワイヤ及び第２ワイヤの長さ
Ｌ１  大洗浄操作モードにおける第１ワイヤの第１巻取量（第１量）
Ｌ２  小洗浄操作モードにおける第２ワイヤの第２巻取量（第２量）
Ｗ１  第１洗浄水量
Ｗ２  第２洗浄水量
О  回転中心軸線、中心軸線
Ｐ０  初期位置、待機位置
Ｐ１  大洗浄モードの最高開弁位置、第１最高位置、第１最大回転位置
Ｐ２  小洗浄モードの最高開弁位置、第２最高位置、第２最大回転位置
Ｒ１  第１回転方向
Ｒ２  第２回転方向
ｒ１  第１プーリの最大回転半径（第１回転巻取部材の回転半径）
ｒ２  第２プーリの最大回転半径（第２回転巻取部材の回転半径）
ｒ３  電動回転軸の最大回転半径（電動回転軸の回転半径）
ｒ４  回転軸部材の突起部の最大回転半径（回転軸の回転半径）
Ｓ    人感センサ
θ１  第１最大回転角度
θ２  第２最大回転角度
【図１】
2019138115.tif 000003
【図２】
2019138115.tif 000004
【図３】
2019138115.tif 000005
【図４】
2019138115.tif 000006
【図５】
2019138115.tif 000007
【図６】
2019138115.tif 000008
【図７Ａ】
2019138115.tif 000009
【図７Ｂ】
2019138115.tif 000010
【図７Ｃ】
2019138115.tif 000011
【図７Ｄ】
2019138115.tif 000012
【図８Ａ】
2019138115.tif 000013
【図８Ｂ】
2019138115.tif 000014
【図８Ｃ】
2019138115.tif 000015
【図８Ｄ】
2019138115.tif 000016
【図９Ａ】
2019138115.tif 000017
【図９Ｂ】
2019138115.tif 000018
【図９Ｃ】
2019138115.tif 000019
【図９Ｄ】
2019138115.tif 000020
【図１０】
2019138115.tif 000021
【図１１】
2019138115.tif 000022
【図１２】
2019138115.tif 000023
【図１３】
2019138115.tif 000024